(57)【要約】【課題】光、熱、湿度および環境中の活性ガスに対して十分な堅牢性を有する新規なフタロシアニン化合物、該化合物を用いたインク、特に光及び環境中のオゾンガスに対して堅牢性の高い画像を形成することができるインク、インクジェット記録用インク、インクジェット記録方法及び形成画像保存性改良方法を提供すること。【解決手段】スルホニル基またはスルフィニル基を有し、イオン性親水性基及びヘテロ環基を少なくとも１つ有するフタロシアニン化合物。該フタロシアニン化合物を含むインク、及び該インクによる画像形成、インクジェット記録方法。【選択図】    なし【特許請求の範囲】
【請求項１】
下記一般式（Ｉ）で表されるフタロシアニン化合物。
【化１】
2004277456.tif 000040
【化２】
2004277456.tif 000041
一般式（Ｉ）中；
Ｍは、水素原子、金属原子、またはその酸化物、水酸化物もしくはハロゲン化物を表す。
Ｐｃは、一般式（ＩＩ）で表されるフタロシアニン核を表す。
Ｘ１、Ｘ２、Ｘ３、Ｘ４はそれぞれ独立に、−ＳＯ−Ｒ１および−ＳＯ２−Ｒ２から選ばれる置換基を表し、且つ、フタロシアニン核中の４つのベンゼン環｛一般式（ＩＩ）中のＡ、Ｂ、Ｃ、Ｄ｝の各々に、Ｘ１、Ｘ２、Ｘ３、Ｘ４のいずれかが少なくとも１個以上存在する。Ｒ１およびＲ２はそれぞれ独立に、置換もしくは無置換のアルキル基、置換もしくは無置換のアリール基、または置換もしくは無置換のヘテロ環基を表す。但し、Ｘ１、Ｘ２、Ｘ３、Ｘ４の少なくとも１つはイオン性親水性基を置換基として有し、且つ、Ｘ１、Ｘ２、Ｘ３、Ｘ４の少なくとも１つは、５〜８員の含窒素へテロ環基（縮合環を有していてもよい）を置換基として有する。
ｋは１≦ｋ＜８の数を表し、ｌは０≦ｌ≦７の数を表し、ｍは０≦ｍ≦７の数を表し、ｎは０≦ｍ≦７の数を表す。但し、４≦ｋ＋ｌ＋ｍ＋ｎ≦８を満たす。
一般式（ＩＩ）中；
Ｙ１、Ｙ２、Ｙ３、Ｙ４、Ｙ５、Ｙ６、Ｙ７、Ｙ８はそれぞれ独立に、水素原子または一価の置換基を表す。
【請求項２】
前記Ｘ１、Ｘ２、Ｘ３、Ｘ４の少なくとも１つが、下記一般式（ＩＩＩ）、（ＩＶ）または（Ｖ）で表される含窒素へテロ環基を置換基として有することを特徴とする請求項１に記載のフタロシアニン化合物。
【化３】
2004277456.tif 000042
【化４】
2004277456.tif 000043
【化５】
2004277456.tif 000044
各式中；
Ｚは、水素原子、置換もしくは無置換のアルキル基、置換もしくは無置換のアリール基、−Ｃｌ、−ＮＲ３Ｒ４、−ＳＲ５、または−ＯＲ５を表す。
Ｊは、水素原子、−Ｃｌ、−ＳＲ６、または−ＯＲ６を表す。
Ｅは、−Ｃｌ、または−ＣＮを表す。
Ｒ３、Ｒ４、Ｒ５、Ｒ６はそれぞれ独立に、水素原子、置換もしくは無置換のアルキル基、置換もしくは無置換のアリール基、置換もしくは無置換のアルケニル基、置換もしくは無置換のアラルキル基、または置換もしくは無置換のヘテロ環基を表す。Ｒ３、Ｒ４は互いに結合して含窒素５員または６員環を形成してもよい。
【請求項３】
前記一般式（ＩＩ）で表されるフタロシアニン核が、下記一般式（ＶＩ）であることを特徴とする請求項１または２に記載のフタロシアニン化合物。
【化６】
2004277456.tif 000045
【請求項４】
前記一般式（ＶＩ）で表されるフタロシアニン核が、下記一般式（ＶＩＩ）であることを特徴とする請求項３に記載のフタロシアニン化合物。
【化７】
2004277456.tif 000046
【請求項５】
前記一般式（Ｉ）で表されるフタロシアニン化合物が、下記一般式（ＶＩＩＩ）であることを特徴とする請求項１〜４のいずれかに記載のフタロシアニン化合物。
【化８】
2004277456.tif 000047
一般式（ＶＩＩＩ）中；
Ｍは、水素原子、金属原子、またはその酸化物、水酸化物もしくはハロゲン化物を表す。
Ｐｃは、請求項１に記載の一般式（ＩＩ）、請求項４に記載の一般式（ＶＩ）または請求項５に記載の一般式（ＶＩＩ）で表されるフタロシアニン核を表す。
Ｌ１、Ｌ２はそれぞれ独立に、置換もしくは無置換のアルキレン、置換もしくは無置換のフェニレン、置換もしくは無置換のナフチレン、または置換もしくは無置換のヘテロ環基を表す。
Ｚ１、Ｚ２はそれぞれ独立に、−ＮＲ７Ｒ８、−ＳＲ９、または−ＯＲ９を表し、Ｇはイオン性親水性基を表す。Ｒ７、Ｒ８、Ｒ９、Ｒ１０はそれぞれ独立に、水素原子、置換もしくは無置換のアルキル基、置換もしくは無置換のアリール基、置換もしくは無置換のアルケニル基、置換もしくは無置換のアラルキル基、または置換もしくは無置換のヘテロ環基を表す。Ｒ７、Ｒ８は互いに結合して含窒素５員または６員環を形成してもよい。
ｋは１≦ｋ≦８の数を表し、ｌは０≦ｌ≦７の数を表す。但し、４≦ｋ＋ｌ≦８を満たす。
【請求項６】
請求項１〜５のいずれかに記載のフタロシアニン化合物を含有することを特徴とするインク。
【請求項７】
インクジェット記録に用いられることを特徴とする請求項６に記載のインク。
【請求項８】
支持体上に、白色無機顔料粒子を含有するインク受像層を有する受像材料上に、請求項７に記載のインクを用いて画像形成することを特徴とするインクジェット記録方法。
【請求項９】
請求項７に記載のインクを用いて画像形成することを特徴とする着色画像のオゾンガス耐性改良方法。
【発明の詳細な説明】
【０００１】
【発明の属する技術分野】
本発明は、溶解性が改良され、堅牢性に優れた新規なフタロシアニン化合物及び該フタロシアニン化合物を含むインク、特にインクジェット記録用インク、インクジェット記録方法、並びに形成した着色画像のオゾンガス耐性改良方法に関する。
【０００２】
【従来の技術】
近年、画像記録材料としては、特にカラー画像を形成するための材料が主流であり、具体的には、インクジェット方式の記録材料、感熱転写方式の記録材料、電子写真方式の記録材料、転写式ハロゲン化銀感光材料、印刷インク、記録ペン等が盛んに利用されている。また、撮影機器ではＣＣＤなどの撮像素子において、ディスプレーではＬＣＤやＰＤＰにおいて、カラー画像を記録・再現するためにカラーフィルターが使用されている。
これらのカラー画像記録材料やカラーフィルターでは、フルカラー画像を再現あるいは記録するために、いわゆる加法混色法や減法混色法の３原色の色素（染料や顔料）が使用されているが、好ましい色再現域を実現出来る吸収特性を有し、且つさまざまな使用条件に耐えうる堅牢な色素がないのが実状であり、改善が強く望まれている。
【０００３】
インクジェット記録方法は、材料費が安価であること、高速記録が可能なこと、記録時の騒音が少ないこと、更にカラー記録が容易であることから、急速に普及し、更に発展しつつある。
インクジェット記録方法には、連続的に液滴を飛翔させるコンティニュアス方式と画像情報信号に応じて液滴を飛翔させるオンデマンド方式が有り、その吐出方式にはピエゾ素子により圧力を加えて液滴を吐出させる方式、熱によりインク中に気泡を発生させて液滴を吐出させる方式、超音波を用いた方式、あるいは静電力により液滴を吸引吐出させる方式がある。
また、インクジェット記録用インクとしては、水性インク、油性インク、あるいは固体（溶融型）インクが用いられる。
【０００４】
このようなインクジェット記録用インクに用いられる色素に対しては、溶剤に対する溶解性あるいは分散性が良好なこと、高濃度記録が可能であること、色相が良好であること、光、熱、環境中の活性ガス（ＮＯｘ、オゾン等の酸化性ガスの他ＳＯｘなど）に対して堅牢であること、水や薬品に対する堅牢性に優れていること、受像材料に対して定着性が良く滲みにくいこと、インクとしての保存性に優れていること、毒性がないこと、純度が高いこと、更には、安価に入手できることが要求されている。
【０００５】
しかしながら、これらの要求を高いレベルで満たす色素を捜し求めることは、極めて難しい。特に、良好なシアン色相を有し、光，湿度，熱に対して堅牢であること、中でも多孔質の白色無機顔料粒子を含有するインク受容層を有する受像材料上に印字する際には、環境中のオゾンなどの酸化性ガスに対して堅牢であることが強く望まれている。
【０００６】
このようなインクジェット記録用インクに用いられるシアンの色素骨格としてはフタロシアニン系、アントラキノン系、トリフェニルメタン系などがあり、フタロシアニン系が代表的である。
最も広範囲に報告され、利用されている代表的な色素であるフタロシアニン染料は、以下の▲１▼〜▲６▼で分類されるフタロシアニン化合物である。
【０００７】
▲１▼Ｄｉｒｅｃｔ  Ｂｌｕｅ  ８６又はＤｉｒｅｃｔ  Ｂｌｕｅ  ８７等の銅フタロシアニン染料〔例えば、Ｃｕ−Ｐｃ−（ＳＯ３Ｎａ）ｍ：ｍ＝１〜４の混合物〕。なお、上式中及び以後本明細書中に用いる「Ｐｃ」は、フタロシアニン骨格を意味する。
【０００８】
▲２▼Ｄｉｒｅｃｔ  Ｂｌｕｅ  １９９および特開昭６２−１９０２７３号、特開昭６３−２８６９０号、特開昭６３−３０６０７５号、特開昭６３−３０６０７６号、特開平２−１３１９８３号、特開平３−１２２１７１号、特開平３−２００８８３号、特開平７−１３８５１１号等に記載のフタロシアニン染料〔例えば、Ｃｕ−Ｐｃ−（ＳＯ３Ｎａ）ｍ（ＳＯ２ＮＨ２）ｎ：ｍ＋ｎ＝１〜４の混合物〕。
【０００９】
▲３▼特開昭６３−２１０１７５号、特開昭６３−３７１７６号、特開昭６３−３０４０７１号、特開平５−１７１０８５号、ＷＯ００／０８１０２号等に記載のフタロシアニン染料〔例えば、Ｃｕ−Ｐｃ−（ＣＯ２Ｈ）ｍ（ＣＯＮＲ１Ｒ２）ｎ：ｍ＋ｎ＝０〜４の数〕。
【００１０】
▲４▼特開昭５９−３０８７４号、特開平１−１２６３８１号、特開平１−１９０７７０号、特開平６−１６９８２号、特開平７−８２４９９号、特開平８−３４９４２号、特開平８−６００５３号、特開平８−１１３７４５号、特開平８−３１０１１６号、特開平１０−１４００６３号、特開平１０−２９８４６３号、特開平１１−２９７２９号、特開平１１−３２０９２１号等の各公報、ＥＰ１７３４７６Ａ２号、ＥＰ４６８６４９Ａ１号、ＥＰ５５９３０９Ａ２号、ＥＰ５９６３８３Ａ１号、ＤＥ３４１１４７６号、ＵＳ６０８６９５５号、ＷＯ９９／１３００９号、ＧＢ２３４１８６８Ａ号等に記載のフタロシアニン染料〔例えば、Ｃｕ−Ｐｃ−（ＳＯ３Ｈ）ｍ（ＳＯ２ＮＲ１Ｒ２）ｎ：ｍ＋ｎ＝０〜４の数、且つ、ｍ≠０〕。
【００１１】
▲５▼特開昭６０−２０８３６５号、特開昭６１−２７７２号、特開平６−５７６５３号、特開平８−６００５２号、特開平８−２９５８１９号、特開平１０−１３０５１７号、特開平１１−７２６１４号、特表平１１−５１５０４７号、特表平１１−５１５０４８号等の各公報、ＥＰ１９６９０１Ａ２号、ＷＯ９５／２９２０８号、ＷＯ９８／４９２３９号、ＷＯ９８／４９２４０号、ＷＯ９９／５０３６３号、ＷＯ９９／６７３３４号等に記載のフタロシアニン染料〔例えば、Ｃｕ−Ｐｃ−（ＳＯ３Ｈ）ｌ（ＳＯ２ＮＨ２）ｍ（ＳＯ２ＮＲ１Ｒ２）ｎ：ｌ＋ｍ＋ｎ＝０〜４の数〕。
【００１２】
▲６▼特開昭５９−２２９６７号、特開昭６１−１８５５７６号、特開平１−９５０９３号、特開平３−１９５７８３号、ＥＰ６４９８８１Ａ１号、ＷＯ００／０８１０１号、ＷＯ００／０８１０３号等に記載のフタロシアニン染料〔例えば、Ｃｕ−Ｐｃ−（ＳＯ２ＮＲ１Ｒ２）ｎ：ｎ＝１〜５の数〕。
【００１３】
現在一般に広く用いられているＤｉｒｅｃｔ  Ｂｌｕｅ  ８７又はＤｉｒｅｃｔＢｌｕｅ  １９９に代表され、また前記公報等にも記載があるフタロシアニン染料は、マゼンタやイエローに比べ耐光性に優れるという特徴があるものの、染料の溶解性に起因する問題が生じやすく、例えば、製造時に溶解不良が発生して製造トラブルとなったり、製品保存時や使用時に不溶物が析出して問題を起こすことも多い。特に先に述べたインクジェット記録においては、染料の析出により印字ヘッドの目詰まりや吐出不良を引き起こし、印字画像の著しい劣化を引き起こすなどの問題がある。
また、昨今環境問題として取りあげられることの多いオゾン等の酸化性ガスによっても褪色しやすく、印字濃度が大きく低下してしまうことが大きな問題となっている。
【００１４】
現在、インクジェット記録は使用分野が急拡大しており、一般家庭、ＳＯＨＯ、業務分野等で今後ますます広く使用されるようになると、様々な使用条件や使用環境にさらされる結果、シアン染料の溶解性不良に起因するトラブルが発生したり、光や環境中の活性ガスに曝されて印字画像の褪色が問題となる場合が多くなる。したがって、特に良好な色相を有し、光堅牢性および環境中の活性ガス（ＮＯｘ、オゾン等の酸化性ガスの他ＳＯｘなど）堅牢性に優れ、高い溶解性を有したシアン染料及びシアンインクがますます強く望まれている。
しかしながら、これらの要求を高いレベルで満たすフタロシアニン染料及びそれを含むシアンインクを捜し求めることは、極めて難しい。
【００１５】
これまで、耐オゾンガス性を付与したフタロシアニン染料としては、特開平３−１０３４８４号、特開平４−３９３６５号、特開２０００−３０３００９号等の各公報が開示されているが、いずれも色相と光及び酸化性ガス堅牢性とを両立させるには至っていなかった。更に、耐オゾンガス性褪色改良方法として、特開２００２−８８２７９及び特開２００２−９７３９３が開示されているが、その到達性能は上記要求性能を高いレベルで解決するには至っていないのが現状である。故に、耐オゾンガス性に関して改善の指針となる色素の性質について報告された例は今までに無かった。
【００１６】
また、一般に、フタロシアニン染料（化合物）は、ＷＯ００／１７２７５、同００／０８１０３、同００／０８１０１、同９８／４１８５３、特開平１０−３６４７１号公報などに記載されているように、無置換のフタロシアニン化合物をスルホン化し、水溶性染料として使用する場合にはスルホン化した化合物のアルカリ金属塩、例えばナトリウム塩としてそのまま使用し、油溶性染料に誘導する場合には、スルホン化後にスルホニルクロライド化、アミド化反応を経て合成したものを使用することができる。
この場合、スルホン化がフタロシアニン核のどの位置でも起こり得る上にスルホン化される個数も制御が困難である。従って、このような反応条件でスルホ基を導入した場合には、生成物に導入されたスルホ基の位置と個数は特定できず、必ず置換基の個数や置換位置の異なる混合物を与える。
そして、その混合物の中には、溶解性が低い成分、例えばフタロシアニン核に対してゼロあるいは１つしかスルホン化されていない成分が混入することとなり、水溶性染料として使用する場合溶解性が不十分となり易く、溶解性の改善が望まれている。
【００１７】
【発明が解決しようとする課題】
本発明は、上記従来における問題を解決し、以下の目的を達成することを課題とする。即ち、本発明の第一の目的は、三原色の色素として色再現性に優れた吸収特性を有し、且つ光、熱、湿度および環境中の活性ガスに対して十分な堅牢性を有し、溶解性に優れた新規なフタロシアニン化合物を提供することである。
【００１８】
本発明の第二の目的は、インク保存安定性および目詰まり回復性に優れ、良好な色相を有し、更に光及び環境中の活性ガス、特にオゾンガスに対して、堅牢性の高い画像を形成することが可能で、様々な環境条件下で使用されても記録安定性の高い、インク、インクジェット記録用インク、該インクジェット記録用インクからなる、インクジェット記録用インクセット、前記インクジェット記録用インクを用いたインクジェット記録方法、及び前記インクジェット記録用インクを収容する容器等に使用する際に極めて有効なフタロシアニン化合物を提供することである。
また、本発明の他の目的として、光及び活性ガスに対して堅牢性の高い画像を形成することのできるインク、インクジェット記録用インク、及びインクジェット記録方法を提供すること、並びに形成画像の保存性改良、特ににオゾンガス耐性の改良方法を提供することである。
【００１９】
【課題を解決するための手段】
本発明者らは、良好な色相と溶解性を有し、且つ光堅牢性及びガス堅牢性（特に、オゾンガス堅牢性）の高いフタロシアニン化合物を詳細に検討したところ、従来知られていない、特定の構造のフタロシアニン化合物により、前記課題を高いレベルで解決できることを見出し、本発明を完成するに至った。前記課題を解決するための手段は、以下の通りである。
【００２０】
即ち、
＜１＞  下記一般式（Ｉ）で表されるフタロシアニン化合物。
【００２１】
【化９】
2004277456.tif 000002
【００２２】
【化１０】
2004277456.tif 000003
【００２３】
一般式（Ｉ）中；
Ｍは、水素原子、金属原子、またはその酸化物、水酸化物もしくはハロゲン化物を表す。
Ｐｃは、一般式（ＩＩ）で表されるフタロシアニン核を表す。
Ｘ１、Ｘ２、Ｘ３、Ｘ４はそれぞれ独立に、−ＳＯ−Ｒ１および−ＳＯ２−Ｒ２から選ばれる置換基を表し、且つ、フタロシアニン核中の４つのベンゼン環｛一般式（ＩＩ）中のＡ、Ｂ、Ｃ、Ｄ｝の各々に、Ｘ１、Ｘ２、Ｘ３、Ｘ４のいずれかが少なくとも１個以上存在する。Ｒ１およびＲ２はそれぞれ独立に、置換もしくは無置換のアルキル基、置換もしくは無置換のアリール基、または置換もしくは無置換のヘテロ環基を表す。但し、Ｘ１、Ｘ２、Ｘ３、Ｘ４の少なくとも１つはイオン性親水性基を置換基として有し、且つ、Ｘ１、Ｘ２、Ｘ３、Ｘ４の少なくとも１つは、５〜８員の含窒素へテロ環基（縮合環を有していてもよい）を置換基として有する。
ｋは１≦ｋ＜８の数を表し、ｌは０≦ｌ≦７の数を表し、ｍは０≦ｍ≦７の数を表し、ｎは０≦ｍ≦７の数を表す。但し、４≦ｋ＋ｌ＋ｍ＋ｎ≦８を満たす。
一般式（ＩＩ）中；
Ｙ１、Ｙ２、Ｙ３、Ｙ４、Ｙ５、Ｙ６、Ｙ７、Ｙ８はそれぞれ独立に、水素原子または一価の置換基を表す。この一価の置換基は、さらに置換基を有していてもよい。
【００２４】
＜２＞  前記Ｘ１、Ｘ２、Ｘ３、Ｘ４の少なくとも１つが、下記一般式（ＩＩＩ）、（ＩＶ）または（Ｖ）で表される含窒素へテロ環基を置換基として有することを特徴とする上記＜１＞に記載のフタロシアニン化合物。
【００２５】
【化１１】
2004277456.tif 000004
【００２６】
【化１２】
2004277456.tif 000005
【００２７】
【化１３】
2004277456.tif 000006
【００２８】
各式中；
Ｚは、水素原子、置換もしくは無置換のアルキル基、置換もしくは無置換のアリール基、−Ｃｌ、−ＮＲ３Ｒ４、−ＳＲ５、または−ＯＲ５を表す。
Ｊは、水素原子、−Ｃｌ、−ＳＲ６、または−ＯＲ６を表す。
Ｅは、−Ｃｌ、または−ＣＮを表す。
Ｒ３、Ｒ４、Ｒ５、Ｒ６はそれぞれ独立に、水素原子、置換もしくは無置換のアルキル基、置換もしくは無置換のアリール基、置換もしくは無置換のアルケニル基、置換もしくは無置換のアラルキル基、または置換もしくは無置換のヘテロ環基を表す。Ｒ３、Ｒ４は互いに結合して含窒素５員または６員環を形成してもよい。
【００２９】
＜３＞  前記一般式（ＩＩ）で表されるフタロシアニン核が、下記一般式（ＶＩ）であることを特徴とする上記＜１＞または＜２＞に記載のフタロシアニン化合物。
【００３０】
【化１４】
2004277456.tif 000007
【００３１】
＜４＞  前記一般式（ＶＩ）で表されるフタロシアニン核が、下記一般式（ＶＩＩ）であることを特徴とする上記＜３＞に記載のフタロシアニン化合物。
【００３２】
【化１５】
2004277456.tif 000008
【００３３】
＜５＞  前記一般式（Ｉ）で表されるフタロシアニン化合物が、下記一般式（ＶＩＩＩ）であることを特徴とする上記＜１＞〜＜４＞のいずれかに記載のフタロシアニン化合物。
【００３４】
【化１６】
2004277456.tif 000009
【００３５】
一般式（ＶＩＩＩ）中；
Ｍは、水素原子、金属原子、またはその酸化物、水酸化物もしくはハロゲン化物を表す。
Ｐｃは、上記＜１＞に記載の一般式（ＩＩ）、上記＜４＞に記載の一般式（ＶＩ）または上記＜５＞に記載の一般式（ＶＩＩ）で表されるフタロシアニン核を表す。
Ｌ１、Ｌ２はそれぞれ独立に、置換もしくは無置換のアルキレン、置換もしくは無置換のフェニレン、置換もしくは無置換のナフチレン、または置換もしくは無置換のヘテロ環基を表す。
Ｚ１、Ｚ２はそれぞれ独立に、−ＮＲ７Ｒ８、−ＳＲ９、または−ＯＲ９を表し、Ｇはイオン性親水性基を表す。Ｒ７、Ｒ８、Ｒ９、Ｒ１０はそれぞれ独立に、水素原子、置換もしくは無置換のアルキル基、置換もしくは無置換のアリール基、置換もしくは無置換のアルケニル基、置換もしくは無置換のアラルキル基、または置換もしくは無置換のヘテロ環基を表す。Ｒ７、Ｒ８は互いに結合して含窒素５員または６員環を形成してもよい。
ｋは１≦ｋ≦８の数を表し、ｌは０≦ｌ≦７の数を表す。但し、４≦ｋ＋ｌ≦８を満たす。
【００３６】
＜６＞  上記＜１＞〜＜５＞のいずれかに記載のフタロシアニン化合物を含有することを特徴とするインク。
＜７＞  インクジェット記録に用いられることを特徴とする上記＜６＞に記載のインク。
＜８＞  支持体上に、白色無機顔料粒子を含有するインク受像層を有する受像材料上に、上記＜７＞に記載のインクを用いて画像形成することを特徴とするインクジェット記録方法。
＜９＞  上記＜７＞に記載のインクを用いて画像形成することを特徴とする着色画像のオゾンガス耐性改良方法。
【００３７】
【発明の実施の形態】
以下、本発明について詳細に説明する。
［フタロシアニン化合物］
本発明のフタロシアニン化合物の製造方法は、例えば、溶解性基もしくはその前駆体を予め導入したフタロニトリル（ｏ−フタロニトリル）または溶解性基もしくはその前駆体を予め導入したフタル酸誘導体（以下、置換フタロニトリル、置換フタル酸ジアミド、置換フタルイミド、置換フタル酸およびその塩、置換無水フタル酸を「フタル酸誘導体」という）と、金属誘導体とを反応させてフタロシアニン化合物を製造する方法を用いることができる。この製造方法は、原料であるフタル酸誘導体に溶解性基もしくはその前駆体を予め導入させるので、得られるフタロシアニン化合物の構造中に、例えば４つのベンゼン環に漏れなく溶解性基もしくはその前駆体を導入したり、望みの溶解性基を特定の数だけ導入することができる。
【００３８】
さらには後述するように、電子吸引性の溶解性基を導入することで酸化電位を高く（貴に）調整できる。このため、三原色の色素として色再現性に優れた吸収特性を有し、且つ光、熱、湿度および環境中の活性ガスに対して十分な堅牢性を有し、溶解性に優れたフタロシアニン化合物を製造することができる。
【００３９】
また、本発明のフタロシアニン化合物の製造方法では、前記溶解性基又はその前駆体が異なっている、２種類以上のフタル酸誘導体を用いることもできる。
この場合、使用したフタル酸誘導体の仕込み比率から決まる分布を持った、溶解性基の種類と結合様式が異なるフタロシアニン化合物となるため、さらに溶解性が向上する。よって、本発明はフタロシアニン化合物の溶解性改良方法をも提供する。
この結果、例えば、本発明のフタロシアニン化合物をインクジェット記録用インクに用いる場合、更に高いレベルで保存安定性および目詰まり回復性が向上した良好インクジェット記録用インクを提供することも可能となる。
【００４０】
本発明で溶解性基とは、フタロシアニン化合物に溶解性を付与する置換基を意味する。溶解性基によりフタロシアニン化合物に水溶性を付与する場合には、親水性基を表す。
【００４１】
親水性基としては、例えばイオン性親水性基もしくはイオン性親水性基を置換基として有する置換基が挙げられる。イオン性親水性基の例としては、スルホ基、カルボキシル基、ホスホノ基および４級アンモニウム基等が含まれる。中でも、カルボキシル基、ホスホノ基、およびスルホ基が好ましく、特にカルボキシル基、スルホ基が好ましい。カルボキシル基、ホスホノ基およびスルホ基は塩の状態であってもよく、塩を形成する対イオンの例には、アンモニウムイオン、アルカリ金属イオン（例、リチウムイオン、ナトリウムイオン、カリウムイオン）および有機カチオン（例、テトラメチルアンモニウムイオン、テトラメチルグアニジニウムイオン、テトラメチルホスホニウム）が含まれる。対イオンの中でもアルカリ金属塩が好ましく、特にリチウム塩は染料の溶解性を高めインク安定性を向上させるため特に好ましい。
【００４２】
イオン性親水性基の数としては、フタロシアニン化合物１分子中少なくとも２個以上有するものが好ましく、特にスルホ基および／またはカルボキシル基を少なくとも２個以上有するものが特に好ましい。
【００４３】
また、本発明で溶解性基の前駆体とは、フタロシアニン環を形成後、反応により溶解性基に変換され得る置換基を表す。このような置換基としては、水酸基、ハロゲン原子、メルカプト基、アミノ基、アシルアミノ基、アルコキシカルボニル基、アルケニル基、イミド基等の反応性置換基、若しくは、それらを置換基として有する置換基等が挙げられる。
【００４４】
本発明のフタロシアニン化合物の製造方法において、原料となる溶解性基又はその前駆体を有するフタル酸誘導体として、好適には、下記一般式（ＩＸ）で表される、▲１▼置換フタロニトリル（下記化合物Ａ）、▲２▼置換ジイミノイソインドリン（下記化合物Ｂ）、▲３▼置換フタル酸ジアミド（下記化合物Ｃ）、▲４▼置換フタルイミド（下記化合物Ｄ）、▲５▼置換フタル酸およびその塩（下記化合物Ｅ）、▲６▼置換無水フタル酸（下記化合物Ｆ）を用いることができる。
【００４５】
溶解性基又はその前駆体を有するフタル酸誘導体（化合物Ａ〜Ｆ）と、金属誘導体として下記一般式（Ｘ）で表される金属誘導体と反応させて、一般式（Ｉ）で表される本発明のフタロシアニン化合物を製造することができる。
原料となるフタル酸誘導体としての化合物Ａ〜ＦにおけるＸ’が溶解性基の前駆体である場合、フタロシアニン環を形成後溶解性基に変換することで、本発明の一般式（Ｉ）で表されるフタロシアニン化合物を製造することができる。
【００４６】
【化１７】
2004277456.tif 000010
【００４７】
【化１８】
2004277456.tif 000011
【００４８】
【化１９】
2004277456.tif 000012
【００４９】
前記一般式（ＩＸ）の化合物Ａ〜Ｆにおいて、Ｘ’はＸ１、Ｘ２、Ｘ３、Ｘ４もしくはその前駆体であって、溶解性基もしくはその前駆体となる置換基を有していてもよい。
【００５０】
前記一般式（Ｘ）において、Ｍは、水素原子、金属原子、またはその酸化物、水酸化物、もしくはハロゲン化物を表す。
Ｚ’は、ハロゲン原子、酢酸陰イオン、アセチルアセトネート、酸素などの１価又は２価の配位子を表す。
ｄは、１〜４の整数を表す。
【００５１】
原料となる前記一般式（ＩＸ）で表されるフタル酸誘導体（化合物Ａ〜Ｆ）について更に説明する。
【００５２】
化合物Ａ〜Ｆにおいて、Ｘ’は−ＳＯ−Ｒ１、−ＳＯ２−Ｒ２が特に好ましく、その中でも−ＳＯ２−Ｒ１が最も好ましい。
【００５３】
Ｒ１、Ｒ２はそれぞれ独立に、置換もしくは無置換のアルキル基、置換もしくは無置換のアリール基、置換もしくは無置換のヘテロ環基を表し、その中でも置換アルキル基、置換アリール基、置換へテロ環基が好ましい。
【００５４】
Ｒ１およびＲ２が表す置換もしくは無置換のアルキル基としては、炭素原子数が１〜１２のアルキル基が好ましい。特に染料の溶解性やインク安定性を高めるという理由から、分岐のアルキル基が好ましく、特に不斉炭素を有する場合（ラセミ体での使用）が特に好ましい。
置換基の例としては、後述のＲ１、Ｒ２およびＹが更に置換基を持つことが可能な場合の置換基と同じものが挙げられる。中でも水酸基、エーテル基、エステル基、シアノ基、アミド基、スルホンアミド基が染料の会合性を高め堅牢性を向上させるので特に好ましい。この他、ハロゲン原子やイオン性親水性基を有していても良い。
【００５５】
Ｒ１およびＲ２が表す置換もしくは無置換のアリール基としては、炭素原子数が６〜１２のアリール基が好ましい。
置換基の例としては、後述のＲ１、Ｒ２およびＹが更に置換基を持つことが可能な場合の置換基と同じものが挙げられる。中でも染料の酸化電位を貴とし堅牢性を向上させるので電子吸引性基が特に好ましい。中でも、ハロゲン原子、ヘテロ環基、シアノ基、カルボキシル基、アシルアミノ基、スルホンアミド基、スルファモイル基、カルバモイル基、スルホニル基、イミド基、アシル基、スルホ基、４級アンモニウム基好ましく、シアノ基、カルボキシル基、スルファモイル基、カルバモイル基、スルホニル基、イミド基、アシル基、スルホ基、４級アンモニウム基が更に好ましい。
【００５６】
Ｒ１およびＲ２が表す置換もしくは無置換のヘテロ環基としては、５員または６員環のものが好ましく、それらは更に縮環していてもよい。また、芳香族ヘテロ環基であっても非芳香族ヘテロ環基であっても良い。
以下にＲ１およびＲ２で表されるヘテロ環基を、置換位置を省略してヘテロ環の形で例示するが、置換位置は限定されるものではなく、例えばピリジンであれば、２位、３位、４位で置換することが可能である。ピリジン、ピラジン、ピリミジン、ピリダジン、トリアジン、キノリン、イソキノリン、キナゾリン、シンノリン、フタラジン、キノキサリン、ピロール、インドール、フラン、ベンゾフラン、チオフェン、ベンゾチオフェン、ピラゾール、イミダゾール、ベンズイミダゾール、トリアゾール、オキサゾール、ベンズオキサゾール、チアゾール、ベンゾチアゾール、イソチアゾール、ベンズイソチアゾール、チアジアゾール、イソオキサゾール、ベンズイソオキサゾール、ピロリジン、ピペリジン、ピペラジン、イミダゾリジン、チアゾリンなどが挙げられる。
中でも芳香族ヘテロ基が好ましく、その好ましい例を先と同様に例示すると、ピリジン、ピラジン、ピリミジン、ピリダジン、トリアジン、ピラゾール、イミダゾール、ベンズイミダゾール、トリアゾール、チアゾール、ベンゾチアゾール、イソチアゾール、ベンズイソチアゾール、チアジアゾールが挙げられる。
置換基の例としては、後述のＲ１、Ｒ２およびＹが更に置換基を持つことが可能な場合の置換基と同じものが挙げられる。好ましい置換基は前記アリール基の置換基と、更に好ましい置換基は、前記アリール基の更に好ましい置換基とそれぞれ同じである。
【００５７】
化合物Ａ〜Ｆにおいて、ａはＸ’の置換基数を表し、１〜４の整数である。ｂはＹの置換基数を表し、ａ＋ｂ＝４の関係を満たす整数を表す。好ましくはａは１又は２であり、さらに好ましくは１である。ａが１又は２である場合、Ｘ’が置換する位置は、化合物Ａ，Ｃ，Ｄ，Ｅでは４，５位、化合物Ｂ，Ｆでは５，６位（すなわち※印の位置、以降β位と呼ぶ）であることが好ましい。
【００５８】
化合物Ａ〜Ｆにおいて、Ｙは水素原子または一価の置換基を表す。この一価の置換基の例としては、ハロゲン原子、アルキル基、アルケニル基、アラルキル基、アリール基、ヘテロ環基、シアノ基、ヒドロキシル基、ニトロ基、アミノ基、アルキルアミノ基、アルコキシ基、アリールオキシ基、アミド基、アリールアミノ基、ウレイド基、スルファモイルアミノ基、アルキルチオ基、アリールチオ基、アルコキシカルボニルアミノ基、スルホンアミド基、カルバモイル基、スルファモイル基、アルコキシカルボニル基、ヘテロ環オキシ基、アゾ基、アシルオキシ基、カルバモイルオキシ基、シリルオキシ基、アリールオキシカルボニル基、アリールオキシカルボニルアミノ基、イミド基、ヘテロ環チオ基、ホスホリル基、アシル基を挙げることができ、各々はさらに置換基を有していてもよい。
【００５９】
中で特に好ましいものは、水素原子、ハロゲン原子、アルキル基、アリール基、シアノ基、アルコキシ基、アミド基、ウレイド基、スルホンアミド基、カルバモイル基、スルファモイル基、アルコキシカルボニル基であり、特に水素原子、ハロゲン原子、シアノ基が好ましく、水素原子が最も好ましい。また、この一価の置換基が有する炭素原子の数は８未満であることが好ましい。
【００６０】
なお、Ｒ１、Ｒ２およびＹが更に置換基を有することが可能な基であるときは、以下に挙げたような置換基を更に有してもよい。
【００６１】
炭素数１〜１２の直鎖または分岐鎖アルキル基、炭素数７〜１８の直鎖または分岐鎖アラルキル基、炭素数２〜１２の直鎖または分岐鎖アルケニル基、炭素数２〜１２の直鎖または分岐鎖アルキニル基、炭素数３〜１２の直鎖または分岐鎖シクロアルキル基、炭素数３〜１２の直鎖または分岐鎖シクロアルケニル基（以上の各基は分岐鎖を有するものが染料の溶解性およびインクの安定性を向上させる理由から好ましく、不斉炭素を有するものが特に好ましい。例えばメチル、エチル、プロピル、イソプロピル、ｓｅｃ−ブチル、ｔ−ブチル、２−エチルヘキシル、２−メチルスルホニルエチル、３−フェノキシプロピル、トリフルオロメチル、シクロペンチル）、ハロゲン原子（例えば、塩素原子、臭素原子）、アリール基（例えば、フェニル、４−ｔ−ブチルフェニル、２，４−ジ−ｔ−アミルフェニル）、ヘテロ環基（例えば、イミダゾリル、ピラゾリル、トリアゾリル、２−フリル、２−チエニル、２−ピリミジニル、２−ベンゾチアゾリル）、シアノ基、ヒドロキシル基、ニトロ基、カルボキシ基、アミノ基、アルキルオキシ基（例えば、メトキシ、エトキシ、２−メトキシエトキシ、２−メタンスルホニルエトキシ）、アリールオキシ基（例えば、フェノキシ、２−メチルフェノキシ、４−ｔ−ブチルフェノキシ、３−ニトロフェノキシ、３−ｔ−ブチルオキシカルバモイルフェノキシ、３−メトキシカルバモイル）、アシルアミノ基（例えば、アセトアミド、ベンズアミド、４−（３−ｔ−ブチル−４−ヒドロキシフェノキシ）ブタンアミド）、アルキルアミノ基（例えば、メチルアミノ、ブチルアミノ、ジエチルアミノ、メチルブチルアミノ）、アニリノ基（例えば、フェニルアミノ、２−クロロアニリノ）、ウレイド基（例えば、フェニルウレイド、メチルウレイド、Ｎ，Ｎ−ジブチルウレイド）、スルファモイルアミノ基（例えば、Ｎ，Ｎ−ジプロピルスルファモイルアミノ）、アルキルチオ基（例えば、メチルチオ、オクチルチオ、２−フェノキシエチルチオ）、アリールチオ基（例えば、フェニルチオ、２−ブトキシ−５−ｔ−オクチルフェニルチオ、２−カルボキシフェニルチオ）、アルキルオキシカルボニルアミノ基（例えば、メトキシカルボニルアミノ）、スルホンアミド基（例えば、メタンスルホンアミド、ベンゼンスルホンアミド、ｐ−トルエンスルホンアミド）、カルバモイル基（例えば、Ｎ−エチルカルバモイル、Ｎ，Ｎ−ジブチルカルバモイル）、スルファモイル基（例えば、Ｎ−エチルスルファモイル、Ｎ，Ｎ−ジプロピルスルファモイル、Ｎ−フェニルスルファモイル）、スルホニル基（例えば、メタンスルホニル、オクタンスルホニル、ベンゼンスルホニル、トルエンスルホニル）、アルキルオキシカルボニル基（例えば、メトキシカルボニル、ブチルオキシカルボニル）、ヘテロ環オキシ基（例えば、１−フェニルテトラゾール−５−オキシ、２−テトラヒドロピラニルオキシ）、アゾ基（例えば、フェニルアゾ、４−メトキシフェニルアゾ、４−ピバロイルアミノフェニルアゾ、２−ヒドロキシ−４−プロパノイルフェニルアゾ）、アシルオキシ基（例えば、アセトキシ）、カルバモイルオキシ基（例えば、Ｎ−メチルカルバモイルオキシ、Ｎ−フェニルカルバモイルオキシ）、シリルオキシ基（例えば、トリメチルシリルオキシ、ジブチルメチルシリルオキシ）、アリールオキシカルボニルアミノ基（例えば、フェノキシカルボニルアミノ）、イミド基（例えば、Ｎ−スクシンイミド、Ｎ−フタルイミド）、ヘテロ環チオ基（例えば、２−ベンゾチアゾリルチオ、２，４−ジ−フェノキシ−１，３，５−トリアゾール−６−チオ、２−ピリジルチオ）、スルフィニル基（例えば、３−フェノキシプロピルスルフィニル）、ホスホニル基（例えば、フェノキシホスホニル、オクチルオキシホスホニル、フェニルホスホニル）、アリールオキシカルボニル基（例えば、フェノキシカルボニル）、アシル基（例えば、アセチル、３−フェニルプロパノイル、ベンゾイル）、イオン性親水性基（例えば、カルボキシル基、スルホ基、ホスホノ基および４級アンモニウム基）が挙げられる。
【００６２】
前記一般式（ＩＸ）で表される本発明のフタル酸誘導体（化合物Ａ〜Ｆ）の中でも、下記一般式（ＸＩ）で表される構造のフタル酸誘導体（化合物Ｇ〜Ｌ）が更に好ましい。
以下、一般式（ＸＩ）について説明する。
【００６３】
【化２０】
2004277456.tif 000013
【００６４】
一般式（ＸＩ）において、Ｘ’は、−ＳＯ−Ｒ１または−ＳＯ２−Ｒ２から選ばれる置換基を表す。その中でも−ＳＯ２−Ｒ２が最も好ましい。
【００６５】
前記化合物Ｇ〜Ｌ中のＲ１、Ｒ２はそれぞれ独立に、前記化合物Ａ〜Ｆ中の置換基Ｒ１、Ｒ２と同義であり、好ましい例も同様である。
前化合物Ｇ〜Ｌ中のａは、Ｘ’の置換基数を表し、１〜２の整数であり、１であることが特に好ましい。
【００６６】
以下に、本発明のフタロシアニン化合物の原料として用いられるフタル酸誘導体の具体例を示す。
【００６７】
置換フタロニトリル（化合物ＡまたはＧ）の具体例としては、４−スルホフタロニトリル、４−（３−スルホプロピルスルホニル）フタロニトリル、４，５−ビス（３−スルホプロピルスルホニル）フタロニトリルが挙げられる。
【００６８】
置換ジイミノイソインドリン（化合物ＢまたはＨ）の具体例としては、３−アミノ−１−イミノ−１Ｈ−イソインドール−５−スルホン酸が挙げられる。
【００６９】
置換フタル酸ジアミド（化合物ＣまたはＩ）の具体例としては、４−（４−スルホブチルスルホニル）フタル酸ジアミドが挙げられる。
【００７０】
置換フタルイミド（化合物ＤまたはＪ）の具体例としては、４−（３−カルボキシプロピルスルホニル）フタルイミドが挙げられる。
【００７１】
置換フタル酸およびその塩（化合物ＥまたはＫ）の具体例としては、４−スルホフタル酸、４−（３−スルホプロピルスルホニル）フタル酸が挙げられる。
【００７２】
置換無水フタル酸（化合物ＦまたはＬ）の具体例としては、４−スルホ無水フタル酸が挙げられる。
【００７３】
次に、金属誘導体｛一般式（Ｘ）で表される金属誘導体｝を説明する。
【００７４】
【化２１】
2004277456.tif 000014
【００７５】
一般式（Ｘ）において、Ｍは、水素原子、金属原子、またはその酸化物、水酸化物、もしくはハロゲン化物を表す。
【００７６】
金属原子としては、Ｌｉ、Ｎａ、Ｋ、Ｍｇ、Ｔｉ、Ｚｒ、Ｖ、Ｎｂ、Ｔａ、Ｃｒ、Ｍｏ、Ｗ、Ｍｎ、Ｆｅ、Ｃｏ、Ｎｉ、Ｒｕ、Ｒｈ、Ｐｄ、Ｏｓ、Ｉｒ、Ｐｔ、Ｃｕ、Ａｇ、Ａｕ、Ｚｎ、Ｃｄ、Ｈｇ、Ａｌ、Ｇａ、Ｉｎ、Ｓｉ、Ｇｅ、Ｓｎ、Ｐｂ、Ｓｂ、Ｂｉ等が挙げられる。中でも、Ｃｕ、Ｎｉ、Ｚｎ、Ａｌ等が好ましく、Ｃｕが最も好ましい。
酸化物としては、ＶＯ、ＧｅＯ等が挙げられる。
水酸化物としては、Ｓｉ（ＯＨ）２、Ｃｒ（ＯＨ）２、Ｓｎ（ＯＨ）２等が挙げられる。
ハロゲン化物としては、ＡｌＣｌ、ＳｉＣｌ２、ＶＣｌ、ＶＣｌ２、ＶＯＣｌ、ＦｅＣｌ、ＧａＣｌ、ＺｒＣｌ等が挙げられる。
Ｚ’はハロゲン原子、酢酸陰イオン、アセチルアセトネート、酸素などの１価又は２価の配位子を示し、ｄは１〜４の整数である。
【００７７】
金属誘導体｛一般式（Ｘ）で表される金属誘導体｝の具体例としては、Ａｌ、Ｓｉ、Ｔｉ、Ｖ、Ｍｎ、Ｆｅ、Ｃｏ、Ｎｉ、Ｃｕ、Ｚｎ、Ｇｅ、Ｒｕ、Ｒｈ、Ｐｄ、Ｉｎ、Ｓｎ、Ｐｔ、Ｐｂ等のハロゲン化物、カルボン酸誘導体、硫酸塩、硝酸塩、カルボニル化合物、酸化物、錯体等が挙げられる。さらに具体的には、塩化銅、臭化銅、沃化銅、塩化ニッケル、臭化ニッケル、酢酸ニッケル、塩化コバルト、臭化コバルト、酢酸コバルト、塩化鉄、塩化亜鉛、臭化亜鉛、沃化亜鉛、酢酸亜鉛、塩化バナジウム、オキシ三塩化バナジウム、塩化パラジウム、酢酸パラジウム、塩化アルミニウム、塩化マンガン、酢酸マンガン、アセチルアセトンマンガン、塩化マンガン、塩化鉛、酢酸鉛、塩化インジウム、塩化チタン、塩化スズ等が挙げられる。
【００７８】
続いて、前記一般式（Ｉ）及び（ＩＩ）で表されるフタロシアン化合物について説明する。
本発明の前記一般式（Ｉ）及び（ＩＩ）で表されるフタロシアニン化合物は、フタロシアニン化合物それ自体以外に、その塩及びその水和物を含む。
【００７９】
前記一般式（Ｉ）において、Ｍは、前記一般式（Ｘ）中のＭと同義であり、好ましい例も同様である。
【００８０】
前記一般式（Ｉ）において、Ｘ１、Ｘ２、Ｘ３、Ｘ４はそれぞれ独立に、−ＳＯ−Ｒ１または−ＳＯ２−Ｒ２から選ばれる置換基を表し、且つ、フタロシアニン核中の４つのベンゼン環｛一般式（ＩＩ）中のＡ、Ｂ、Ｃ、Ｄ｝の各々に、Ｘ１、Ｘ２、Ｘ３、Ｘ４のいずれかが少なくとも１個以上存在する。
更に詳しくは、Ｘ１、Ｘ２、Ｘ３、Ｘ４はそれぞれ独立に−ＳＯ２−Ｒ２が最も好ましい。
但し、Ｘ１、Ｘ２、Ｘ３、Ｘ４がすべて同一であってもそれぞれ異なっていてもよく、且つ、Ｘ１、Ｘ２、Ｘ３、Ｘ４の少なくとも１つはイオン性親水性基を置換基として有する。
【００８１】
また、Ｘ１、Ｘ２、Ｘ３、Ｘ４の少なくとも１つは、５〜８員の含窒素へテロ環基またはその縮合環を置換基として有する。
更に詳しくは、５〜８員の含窒素へテロ環（その縮合環）は、それぞれ５〜６員含窒素ヘテロ環（その縮合環）が好ましく、更に好ましい例をヘテロ環の置換位置を限定せずに挙げると、イミダゾール、ベンゾイミダゾール、ピラゾール、ベンゾピラゾール、トリアゾール、チアゾール、ベンゾチアゾール、イソチアゾール、ベンゾイソチアゾール、オキサゾール、ベンゾオキサゾール、チアジアゾール、ピロール、ベンゾピロール、インドール、イソオキサゾール、ベンゾイソオキサゾール、ピリジン、キノリン、イソキノリン、ピリダジン、ピリミジン、ピラジン、シンノリン、フタラジン、キナゾリン、ｓ−トリアジン、１，２，４−トリアジンであり、より好ましくはイミダゾール、ベンゾイミダゾール、ピラゾール、ベンゾピラゾール、トリアゾール、チアゾール、ベンゾチアゾール、イソチアゾール、ベンゾイソチアゾール、オキサゾール、ベンゾオキサゾール、チアジアゾール、ピロール、ベンゾピロール、インドール、イソオキサゾール、ベンゾイソオキサゾール、ピリジン、ピリダジン、ピリミジン、ｓ−トリアジンであり、その中でもピリジン、ピリミジン、ｓ−トリアジンが最も好ましい。
【００８２】
上記好ましい含窒素へテロ環基の中でも特に、下記一般式（ＩＩＩ）、（ＩＶ）または（Ｖ）で示される含窒素へテロ環基が好ましい。
【００８３】
【化２２】
2004277456.tif 000015
【００８４】
【化２３】
2004277456.tif 000016
【００８５】
【化２４】
2004277456.tif 000017
【００８６】
前記一般式（ＩＩＩ）、（ＩＶ）または（Ｖ）中の各式において、Ｚは、水素原子、置換もしくは無置換のアルキル基、置換もしくは無置換のアリール基、−Ｃｌ、−ＮＲ３Ｒ４、−ＳＲ５、または−ＯＲ５を表す。
Ｊは、水素原子、−Ｃｌ、Ｚ、−ＳＲ６、または−ＯＲ６を表す。
Ｅは、−Ｃｌ、または−ＣＮを表す。
Ｒ３、Ｒ４、Ｒ５、Ｒ６はそれぞれ独立に、水素原子、置換もしくは無置換のアルキル基、置換もしくは無置換のアリール基、置換もしくは無置換のアルケニル基、置換もしくは無置換のアラルキル基、または置換もしくは無置換のヘテロ環基を表す。Ｒ３、Ｒ４は互いに結合して含窒素５員、６員環を形成してもよい。
【００８７】
中でも、各式中、Ｚは、−ＮＲ３Ｒ４、−ＯＲ５が好ましく、その中でも−ＮＲ３Ｒ４、−ＯＨが好ましい。
Ｊは、水素原子、Ｚ、−ＳＲ６、−ＯＲ６が好ましく、特に水素原子、Ｚが好ましく、水素原子が最も好ましい。
Ｅは、−ＣＮが好ましい。
【００８８】
Ｒ３、Ｒ４は、中でも、水素原子、置換もしくは無置換のアルキル基、置換アリール基、置換もしくは無置換のアルケニル基、置換もしくは無置換のアラルキル基、置換もしくは無置換のヘテロ環基が好ましく、特に水素原子、またはイオン性親水性基もしくは水酸基を置換基として有する炭素数１〜４のアルキル基が好ましい。
Ｒ３、Ｒ４は、互いに結合して含窒素５員、６員環を形成する場合は、モルホリノ基、ピペリジル基が好ましく、モルホリノ基が特に好ましい。
【００８９】
Ｒ５、Ｒ６は、中でも、水素原子、置換もしくは無置換のアルキル基、置換アリール基、置換もしくは無置換のアルケニル基、置換もしくは無置換のアラルキル基、置換もしくは無置換のヘテロ環基が好ましく、特に水素原子、イオン性親水性基及び水酸基を置換基として有する炭素数１〜４のアルキル基が好ましい。
【００９０】
Ｒ３、Ｒ４、Ｒ５、Ｒ６が表す置換もしくは無置換のアルキル基、置換もしくは無置換のアリール基、置換もしくは無置換のヘテロ環基の例は、前記一般式（ＩＸ）中の化合物Ａ〜Ｆ中のＲ１、Ｒ２の例と同義であり、好ましい例も同様である。
【００９１】
Ｒ３、Ｒ４、Ｒ５、Ｒ６が表す置換もしくは無置換のアルケニル基としては、炭素原子数が２〜１２のアルケニル基が好ましい。特に染料の溶解性やインク安定性を高めるという理由から、分岐のアルケニル基が好ましく、特に不斉炭素を有する場合（ラセミ体での使用）が特に好ましい。
置換基の例としては、前記一般式（ＩＸ）中の化合物Ａ〜Ｆ中のＲ１、Ｒ２およびＹが更に置換基を持つことが可能な場合の置換基と同じものが挙げられる。中でも水酸基、エーテル基、エステル基、シアノ基、アミド基、スルホンアミド基が染料の会合性を高め堅牢性を向上させるので特に好ましい。この他、ハロゲン原子やイオン性親水性基を有していても良い。
【００９２】
Ｒ３、Ｒ４、Ｒ５、Ｒ６が表す置換もしくは無置換のアラルキル基としては、炭素原子数が７〜１８のアラルキル基が好ましい。特に染料の溶解性やインク安定性を高めるという理由から、分岐のアルキル基が好ましく、特に不斉炭素を有する場合（ラセミ体での使用）が特に好ましい。
置換基の例としては、前記一般式（ＩＸ）中の化合物Ａ〜Ｆ中のＲ１、Ｒ２およびＹが更に置換基を持つことが可能な場合の置換基と同じものが挙げられる。中でも水酸基、エーテル基、エステル基、シアノ基、アミド基、スルホンアミド基が染料の会合性を高め堅牢性を向上させるので特に好ましい。この他、ハロゲン原子やイオン性親水性基を有していても良い。
【００９３】
前記一般式（Ｉ）において、Ｒ１、Ｒ２は、それぞれ独立に、前記一般式（ＩＸ）中の化合物Ａ〜Ｆ中のＲ１、Ｒ２と同義であり、好ましい例も同様である。
【００９４】
前記一般式（Ｉ）において、ｋは１≦ｋ＜８の数を表し、ｌは０≦ｌ≦７の数を表し、ｍは０≦ｍ≦７の数を表し、ｎは０≦ｍ≦７の数を表す。但し、４≦ｋ＋ｌ＋ｍ＋ｎ≦８を満たす。
【００９５】
更に、ｋが１≦ｋ＜８の数を表し、ｌが０≦ｌ≦７の数を表し、ｍが０≦ｍ≦７の数を表し、ｎ＝０が好ましく、特に、ｋが１≦ｋ≦８の数を表し、ｌが０≦ｌ≦７の数を表し、ｍ＝ｎ＝０がより好ましく、中でもｋが１≦ｋ≦４の数を表し、ｌが０≦ｌ＜４の数を表し（但し、ｋ＋ｌ＝４を満たす）、ｍ＝ｎ＝０が最も好ましい。
【００９６】
前記一般式（Ｉ）において、Ｐｃは、前記一般式（ＩＩ）で表されるフタロシアニン核であり、好ましくは前記一般式（ＶＩ）で表されるフタロシアニン核であり、特に好ましくは前記一般式（ＶＩＩ）で表されるフタロシアニン核である。前記一般式（ＩＩ）、（ＶＩ）において、Ｙ１、Ｙ２、Ｙ３、Ｙ４、Ｙ５、Ｙ６、Ｙ７、Ｙ８はそれぞれ独立に、前記一般式（ＩＸ）中の化合物Ａ〜Ｆ中のＹと同義であり、好ましい例も同様である。
【００９７】
本発明のフタロシアニン化合物において、上記の最も好ましいフタル酸誘導体、すなわちａ＝１で溶解性基もしくはその前駆体を有する置換基がβ位（前記化合物Ａ，Ｃ，Ｄ，Ｅでは４，５位、Ｂ，Ｆでは５，６位）に置換し、Ｙが水素原子、ＭがＣｕであるものから調製される銅フタロシアニン化合物は、単一のフタル酸誘導体を使用して合成する場合には、以下の一般式（ＸＩＩ）で表される。
【００９８】
一般式（ＸＩＩ）：  Ｃｕ−Ｐｃ−（Ｘ１）  ；（ｋ＝４）
【００９９】
２種類の異なるフタル酸誘導体を使用して合成する場合には、以下の一般式（ＸＩＩＩ）で表される。
【０１００】
一般式（ＸＩＩＩ）：  Ｃｕ−Ｐｃ−（Ｘ１）ｋ（Ｘ２）ｌ  ；（ｋ＋ｌ＝４）
【０１０１】
３種類の異なるフタル酸誘導体を使用して合成する場合には、以下の一般式（ＸＩＶ）で表される。
【０１０２】
一般式（ＸＩＶ）：  Ｃｕ−Ｐｃ−（Ｘ１）ｋ（Ｘ２）ｌ（Ｘ３）ｍ  ；（ｋ＋ｌ＋ｍ＝４）
【０１０３】
４種類の異なるフタル酸誘導体を使用して合成する場合には、以下の一般式（ＸＶ）で表される。
【０１０４】
一般式（ＸＶ）：  Ｃｕ−Ｐｃ−（Ｘ１）ｋ（Ｘ２）ｌ（Ｘ３）ｍ（Ｘ４）ｎ  ；（ｋ＋ｌ＋ｍ＋ｎ＝４）
【０１０５】
前記一般式（ＸＩＩ）〜（ＸＶ）において、Ｃｕ−Ｐｃは銅フタロシアニン母核を表し、ｋ、ｌ、ｍ、ｎは仕込み比率（当量）を表す総和が４となる０以上の数字をそれぞれ表し、Ｘ１、Ｘ２、Ｘ３、Ｘ４は、β位に置換した互いに異なる置換基をあらわす。
【０１０６】
前記一般式（ＸＩＩＩ）〜（ＸＶ）で表される銅フタロシアニン化合物を製造する際に使用する、２種類以上の溶解性基又はその前駆体が異なるフタル酸誘導体（化合物Ａ〜Ｆ、好ましくはＧ〜Ｌ）の好ましい仕込み比率を、例えば、２種類のフタル酸誘導体を用いてフタロシアニン染料混合物を合成する場合について説明する。
【０１０７】
一方のフタル酸誘導体の当量をｋ、他方のフタル酸誘導体の当量をｌとすると、好ましいｋ、ｌの範囲は、１≦ｋ＜４，０＜ｌ＜４、且つ、ｋ＋ｌ＝４を満たす実数である。
更に、好ましいｋ、ｌの範囲は、１≦ｋ＜４、０＜ｌ≦３、且つ、ｋ＋ｌ＝４を満たす実数であり、１≦ｋ≦２、０＜ｌ≦２、且つ、ｋ＋ｌ＝４を満たす実数が特に好ましい。
【０１０８】
３種類のフタル酸誘導体を用いてフタロシアニン染料混合物を製造する場合については、１番目のフタル酸誘導体の当量をｋ、２番目のフタル酸誘導体の当量をｌ、３番目のフタル酸誘導体の当量をｍとすると、好ましいｋ、ｌ、ｍの範囲は、１≦ｋ＜４、０＜ｌ＜４、０＜ｍ＜４、且つ、ｋ＋ｌ＋ｍ＝４を満たす実数である。
【０１０９】
４種類のフタル酸誘導体を用いてフタロシアニン染料を製造する場合については、１番目のフタル酸誘導体の当量をｋ、２番目のフタル酸誘導体の当量をｌ、３番目のフタル酸誘導体の当量をｍ、４番目のフタル酸誘導体の当量をｎとすると、好ましいｋ、ｌ、ｍ、ｎの範囲は、１≦ｋ＜４、０＜ｌ＜４、０＜ｍ＜４、０＜ｎ＜４、且つ、ｋ＋ｌ＋ｍ＋ｎ＝４を満たす実数である。
【０１１０】
前記一般式（ＸＩＩＩ）〜（ＸＶ）で表される銅フタロシアニン化合物を製造する際に使用する、溶解性基又はその前駆体が異なるフタル酸誘導体（（化合物Ａ〜Ｆ、好ましくはＧ〜Ｌ）の好ましい仕込み種類は、２〜４種類の溶解性基又はその前駆体が異なるフタル酸誘導体（化合物Ａ〜Ｆ、好ましくはＧ〜Ｌ）を用いて合成するのが好ましく、更には２〜３種類の溶解性基又はその前駆体が異なるフタル酸誘導体（化合物Ａ〜Ｆ、好ましくはＧ〜Ｌ）を用いて合成するのが好ましく、その中でも２種類の溶解性基又はその前駆体が異なるフタル酸誘導体（化合物Ａ〜Ｆ、好ましくはＧ〜Ｌ）を用いて合成するのが特に好ましい。つまり、前記一般式（ＸＩＩＩ）〜（ＸＶ）で表される銅フタロシアニン化合物の中でも、一般式（ＸＩＩＩ）または（ＸＩＶ）で表される銅フタロシアニン化合物が好ましく、一般式（ＸＩＩＩ）で表される銅フタロシアニン化合物が特に好ましい。
【０１１１】
以上纏めると、前記一般式（Ｉ）、及び前記一般式（ＩＩ）、（ＶＩ）または（ＶＩＩ）で表され、前記一般式（ＩＩＩ）、（ＩＶ）、または（Ｖ）で表される置換基を有するフタロシアニン化合物として特に好ましい組み合わせは、
（イ）Ｘ１、Ｘ２、Ｘ３及びＸ４は、それぞれ独立に、−ＳＯ−Ｒ１または−ＳＯ２−Ｒ２を表し、特に−ＳＯ２−Ｒ２が最も好ましい。但し、Ｘ１、Ｘ２、Ｘ３、Ｘ４の少なくとも１つは、上記一般式（ＩＩＩ）、（ＩＶ）または（Ｖ）で示される基を置換基として有しており、特に一般式（ＩＩＩ）または（Ｖ）で示される基を置換基として有する場合が好ましく、その中でも一般式（ＩＩＩ）で示される基を置換基として有する場合が最も好ましい。
【０１１２】
（ロ）Ｒ１は置換もしくは無置換のアルキル基、置換もしくは無置換のアリール基、置換もしくは無置換のヘテロ環基を表し、置換アルキル基、置換アリール基、置換へテロ環基が好ましく、その中でもイオン性親水性基及びまたは水酸基を置換基として有する置換アルキル基が最も好ましい。
【０１１３】
（ハ）Ｒ２は、置換もしくは無置換のアルキル基、置換もしくは無置換のアリール基、置換もしくは無置換のヘテロ環基を表し、更に、置換アルキル基、置換アリール基、置換へテロ環基が好ましい。
【０１１４】
（ニ）Ｚは、−Ｃｌ、−ＮＲ３Ｒ４、−ＳＲ５、−ＯＲ５を表し、特に−ＮＲ３Ｒ４、−ＯＲ５が好ましく、その中でも−ＯＲ５が好ましい。
【０１１５】
（ホ）Ｊは、水素原子、−Ｃｌ、Ｚ、−ＳＲ６、−ＯＲ６を表し、その中でも水素原子、Ｚ、−ＳＲ６、−ＯＲ６が好ましく、特に水素原子、Ｚが好ましく、水素原子が最も好ましい。
【０１１６】
（ヘ）Ｅは、−Ｃｌ、−ＣＮを表し、その中でも−ＣＮが好ましい。
【０１１７】
（ト）Ｒ３、Ｒ４はそれぞれ独立に水素原子、置換もしくは無置換のアルキル基、置換もしくは無置換のアリール基、置換もしくは無置換のアルケニル基、置換もしくは無置換のアラルキル基、置換もしくは無置換のヘテロ環基を表し、その中でも水素原子、置換もしくは無置換のアルキル基、置換アリール基、置換もしくは無置換のアルケニル基、置換もしくは無置換のアラルキル基、置換もしくは無置換のヘテロ環基が好ましく、特に水素原子、またはイオン性親水性基もしくは水酸基を置換基として有する炭素数１〜４のアルキル基が好ましい。
Ｒ３、Ｒ４は互いに結合して含窒素５員、６員環を形成する場合は、モルホリノ基、ピペリジル基が好ましく、モルホリノ基が特に好ましい。
【０１１８】
（チ）Ｒ５、Ｒ６はそれぞれ独立に水素原子、置換もしくは無置換のアルキル基、置換もしくは無置換のアリール基、置換もしくは無置換のアルケニル基、置換もしくは無置換のアラルキル基、置換もしくは無置換のヘテロ環基を表し、その中でも水素原子、置換もしくは無置換のアルキル基、置換アリール基、置換もしくは無置換のアルケニル基、置換もしくは無置換のアラルキル基、置換もしくは無置換のヘテロ環基が好ましく、特に水素原子、またはイオン性親水性基もしくは水酸基を置換基として有する炭素数１〜４のアルキル基が好ましい。
【０１１９】
（リ）Ｐｃは、（ｋ＋ｌ＋ｍ＋ｎ）価の一般式（ＩＩ）で表されるフタロシアニン核を表し、特に、（ｋ＋ｌ）価の一般式（ＶＩ）で表されるフタロシアニン核が好ましく、その中でも（ｋ＋ｌ）価の一般式（ＶＩＩ）で表されるフタロシアニン核が最も好ましい。
【０１２０】
（ヌ）Ｙ１、Ｙ２、Ｙ３、Ｙ４、Ｙ５、Ｙ６、Ｙ７及びＹ８は、それぞれ独立に、水素原子、ハロゲン原子が好ましく、特に水素原子が最も好ましい。
【０１２１】
（ル）Ｍとしては、Ｃｕ、Ｎｉ、Ｚｎ、Ａｌ等が好ましく、Ｃｕが最も好ましい。
【０１２２】
上記（イ）〜（ル）に加えて、更に、
（オ）フタロシアニン化合物の平均分子量（フタル酸誘導体の仕込み比率から決まる分子量分布を持つ）は７５０〜２５００の範囲が好ましく、更に９９５〜２５００の範囲の分子量が好ましく、その中でも９９５〜２０００の範囲の分子量が好ましく、特に９９５〜１８００の範囲の分子量が最も好ましい。
【０１２３】
また、前記一般式（Ｉ）で表されるフタロシアニン化合物中には、フタロシアニン核１単位あたりイオン性親水性基を少なくとも１個以上有し、特にイオン性親水性基がスルホ基であるのが好ましい、その中でもスルホ基を２個以上有するものが最も好ましい。
フタロシアニン核１単位あたり少なくとも１つ以上のイオン性親水性基を有しているので、水性媒体中に対する溶解性または分散性が良好である。
【０１２４】
本発明の前記一般式（Ｉ）で表されるフタロシアニン化合物の好ましい置換基の組み合わせについては、種々の置換基の少なくとも１つが前記の好ましい基である化合物が好ましく、より多くの種々の置換基が前記好ましい基である化合物がより好ましく、全ての置換基が前記好ましい基である化合物が最も好ましい。
【０１２５】
本発明の前記一般式（Ｉ）で表されるフタロシアニン化合物の中でも、下記一般式（ＸＶＩ）で表される構造のフタロシアニン化合物が更に好ましい。
以下、一般式（ＸＶＩ）で表されるフタロシアニン化合物について説明する。
本発明の下記一般式（ＸＶＩ）で表されるフタロシアニン化合物は、フタロシアニン化合物それ自体以外に、その塩及びその水和物を含む。
【０１２６】
【化２５】
2004277456.tif 000018
【０１２７】
前記一般式（ＸＶＩ）においてＰｃは、前記一般式（ＩＩ）、一般式（ＶＩ）または一般式（ＶＩＩ）で表されるフタロシアニン核を表す。
【０１２８】
前記一般式（ＸＶＩ）においてＭ、Ｘ１、Ｘ２は、それぞれ独立に前記一般式（Ｉ）中のＭ、Ｘ１、Ｘ２と同義であり、好ましい例も同様である。
【０１２９】
前記一般式（ＸＶＩ）において、ｋは１≦ｋ≦８の数を表し、ｌは０≦ｌ≦７の数を表す。但し、４≦ｋ＋ｌ≦８を満たす。
更に、その中でも、ｋが１≦ｋ≦４の数を表し、ｌが０≦ｌ＜４の数を表し、且つｋ＋ｌ＝４を満たすのが好ましく、特にｋが１≦ｋ≦３の数を表し、ｌが１≦ｌ≦３の数を表し、且つｋ＋ｌ＝４を満たすのが最も好ましい。
【０１３０】
以上纏めると、前記一般式（ＸＶＩ）、及び前記一般式（ＩＩ）、（ＶＩ）または（ＶＩＩ）で表され、前記一般式（ＩＩＩ）、（ＩＶ）または（Ｖ）で表される置換基を有するフタロシアニン化合物として特に好ましい組み合わせは、
（イ）Ｘ１及びＸ２は、それぞれ独立に、−ＳＯ−Ｒ１または−ＳＯ２−Ｒ２を表し、特に−ＳＯ２−Ｒ２が最も好ましい。但し、Ｘ１、Ｘ２の少なくとも１つは、上記一般式（ＩＩＩ）、（ＩＶ）または（Ｖ）で示される基を置換基として有しており、特に一般式（ＩＩＩ）または（Ｖ）で示される基を置換基として有する場合が好ましく、その中でも一般式（ＩＩＩ）で示される基を置換基として有する場合が最も好ましい。
【０１３１】
（ロ）Ｒ１は置換もしくは無置換のアルキル基、置換もしくは無置換のアリール基、置換もしくは無置換のヘテロ環基を表し、置換アルキル基、置換アリール基、置換へテロ環基が好ましく、その中でもイオン性親水性基及びまたは水酸基を置換基として有する置換アルキル基が最も好ましい。
【０１３２】
（ハ）Ｒ２は、置換もしくは無置換のアルキル基、置換もしくは無置換のアリール基、置換もしくは無置換のヘテロ環基を表し、更に、置換アルキル基、置換アリール基、置換へテロ環基が好ましい。
【０１３３】
（ニ）Ｚは、−Ｃｌ、−ＮＲ３Ｒ４、−ＳＲ５、−ＯＲ５を表し、特に−ＮＲ３Ｒ４、−ＯＲ５が好ましく、その中でも−ＯＲ５が好ましい。
【０１３４】
（ホ）Ｊは、水素原子、−Ｃｌ、Ｚ、−ＳＲ６、−ＯＲ６を表し、その中でも水素原子、Ｚ、−ＳＲ６、−ＯＲ６が好ましく、特に水素原子、Ｚが好ましく、水素原子が最も好ましい。
【０１３５】
（ヘ）Ｅは、−Ｃｌ、−ＣＮを表し、その中でも−ＣＮが好ましい。
【０１３６】
（ト）Ｒ３、Ｒ４はそれぞれ独立に水素原子、置換もしくは無置換のアルキル基、置換もしくは無置換のアリール基、置換もしくは無置換のアルケニル基、置換もしくは無置換のアラルキル基、置換もしくは無置換のヘテロ環基を表し、その中でも水素原子、置換もしくは無置換のアルキル基、置換アリール基、置換もしくは無置換のアルケニル基、置換もしくは無置換のアラルキル基、置換もしくは無置換のヘテロ環基が好ましく、特に水素原子、またはイオン性親水性基もしくは水酸基を置換基として有する炭素数１〜４のアルキル基が好ましい。
Ｒ３、Ｒ４は互いに結合して含窒素５員、６員環を形成する場合は、モルホリノ基、ピペリジル基が好ましく、モルホリノ基が特に好ましい。
【０１３７】
（チ）Ｒ５、Ｒ６はそれぞれ独立に水素原子、置換もしくは無置換のアルキル基、置換もしくは無置換のアリール基、置換もしくは無置換のアルケニル基、置換もしくは無置換のアラルキル基、置換もしくは無置換のヘテロ環基を表し、その中でも水素原子、置換もしくは無置換のアルキル基、置換アリール基、置換もしくは無置換のアルケニル基、置換もしくは無置換のアラルキル基、置換もしくは無置換のヘテロ環基が好ましく、特に水素原子、またはイオン性親水性基もしくは水酸基を置換基として有する炭素数１〜４のアルキル基が好ましい。
【０１３８】
（リ）Ｐｃは、（ｋ＋ｌ＋ｍ＋ｎ）価の一般式（ＩＩ）で表されるフタロシアニン核を表し、特に、（ｋ＋ｌ）価の一般式（ＶＩ）で表されるフタロシアニン核が好ましく、その中でも（ｋ＋ｌ）価の一般式（ＶＩＩ）で表されるフタロシアニン核が最も好ましい。
【０１３９】
（ヌ）Ｙ１、Ｙ２、Ｙ３、Ｙ４、Ｙ５、Ｙ６、Ｙ７及びＹ８は、それぞれ独立に、水素原子、ハロゲン原子が好ましく、特に水素原子が最も好ましい。
【０１４０】
（ル）Ｍとしては、Ｃｕ、Ｎｉ、Ｚｎ、Ａｌ等が好ましく、Ｃｕが最も好ましい。
【０１４１】
上記（イ）〜（ル）に加えて、更に、
（オ）フタロシアニン化合物の平均分子量（フタル酸誘導体の仕込み比率から決まる分子量分布を持つ）は７５０〜２５００の範囲が好ましく、更に９９５〜２５００の範囲の分子量が好ましく、その中でも９９５〜２０００の範囲の分子量が好ましく、特に９９５〜１８００の範囲の分子量が最も好ましい。
【０１４２】
また、前記一般式（ＸＶＩ）で表されるフタロシアニン化合物中には、フタロシアニン核１単位あたりイオン性親水性基を少なくとも１個以上有し、特にイオン性親水性基がスルホ基であるのが好ましい、その中でもスルホ基を２個以上有するものが最も好ましい。
フタロシアニン核１単位あたり少なくとも１つ以上のイオン性親水性基を有しているので、水性媒体中に対する溶解性または分散性が良好である。
【０１４３】
本発明の前記一般式（ＸＶＩ）で表されるフタロシアニン化合物の好ましい置換基の組み合わせについては、種々の置換基の少なくとも１つが前記の好ましい基である化合物が好ましく、より多くの種々の置換基が前記好ましい基である化合物がより好ましく、全ての置換基が前記好ましい基である化合物が最も好ましい。
【０１４４】
本発明の前記一般式（ＸＶＩ）で表されるフタロシアニン化合物の中でも、下記一般式（ＶＩＩＩ）で表される構造のフタロシアニン化合物が更に好ましい。
以下、一般式（ＶＩＩＩ）で表されるフタロシアニン化合物について説明する。
本発明の下記一般式（ＶＩＩＩ）で表されるフタロシアニン化合物は、フタロシアニン化合物それ自体以外に、その塩及びその水和物を含む。
【０１４５】
【化２６】
2004277456.tif 000019
【０１４６】
前記一般式（ＶＩＩＩ）においてＰｃは、（ｋ＋ｌ）価の前記一般式（ＩＩ）、一般式（ＶＩ）または一般式（ＶＩＩ）で表されるフタロシアニン核を表す。
【０１４７】
前記一般式（ＶＩＩＩ）においてＭは、前記一般式（Ｉ）中のＭと同義であり、好ましい例も同様である。
【０１４８】
前記一般式（ＶＩＩＩ）において、Ｌ１、Ｌ２はそれぞれ独立に、置換もしくは無置換のアルキレン、置換もしくは無置換のフェニレン、置換もしくは無置換のナフチレン、置換もしくは無置換のヘテロ環基を表す。
Ｚ１、Ｚ２はそれぞれ独立に、−ＮＲ７Ｒ８、−ＳＲ９、または−ＯＲ９を表し、Ｇはイオン性親水性基を表す。Ｒ７、Ｒ８、Ｒ９、Ｒ１０はそれぞれ独立に、水素原子、置換もしくは無置換のアルキル基、置換もしくは無置換のアリール基、置換もしくは無置換のアルケニル基、置換もしくは無置換のアラルキル基、または置換もしくは無置換のヘテロ環基を表す。Ｒ７、Ｒ８は互いに結合して含窒素５員または６員環を形成してもよい。
ｋは１≦ｋ≦８の数を表し、ｌは０≦ｌ≦７の数を表す。但し、４≦ｋ＋ｌ≦８を満たす。
【０１４９】
前記一般式（ＶＩＩＩ）において、Ｌ１、Ｌ２はそれぞれ独立に、好ましくは、置換もしくは無置換のアルキレン、置換もしくは無置換のフェニレンであり、その中でも置換もしくは無置換のアルキレンが特に好ましい。
更に詳しくは、炭素数１〜１８の直鎖または分岐鎖アルキレン基｛例えば、直鎖アルキレンの場合は−（ＣＨ２）ｎ−：ｎ＝１〜１８の整数を表す｝が好ましく、特に炭素数１〜８の直鎖または分岐鎖アルキレン基が好ましく、その中でも炭素数２〜６の直鎖または分岐鎖アルキレン基が好ましい。
【０１５０】
前記一般式（ＶＩＩＩ）において、Ｚ１、Ｚ２はそれぞれ独立に、前記一般式（ＩＩＩ）中のＺと同義であり、好ましい例も同様である。
【０１５１】
前記一般式（ＶＩＩＩ）においてＲ１０は、前記一般式（ＩＩＩ）、（ＩＶ）、（Ｖ）中のＲ３〜Ｒ６と同義であり、好ましい例も同様である。
【０１５２】
前記一般式（ＶＩＩＩ）において、Ｇが表すイオン性親水性基は、前記一般式（ＩＸ）中の置換基の説明で例示したイオン性親水性基の例と同義であり、好ましい例も同様である。
【０１５３】
前記一般式（ＶＩＩＩ）において、ｋが１≦ｋ≦４の数を表し、ｌが０≦ｌ＜４の数を表し、且つｋ＋ｌ＝４を満たすのが好ましく、特にｋが１≦ｋ≦３の数を表し、ｌが１≦ｌ≦３の数を表し、且つｋ＋ｌ＝４を満たすのが最も好ましい。
【０１５４】
以上纏めると、前記一般式（ＶＩＩＩ）、及び前記一般式（ＩＩ）、（ＶＩ）または（ＶＩＩ）で表されるフタロシアニン化合物として特に好ましい組み合わせは、
（イ）Ｌ１及びＬ２が、それぞれ独立に、置換もしくは無置換のアルキレン、置換もしくは無置換のフェニレン、置換もしくは無置換のナフチレン、置換もしくは無置換のヘテロ環基を表し、好ましくは、置換もしくは無置換のアルキレン、置換もしくは無置換のフェニレンであり、その中でも置換もしくは無置換のアルキレンが特に好ましい。更に詳しくは、炭素数１〜１８の直鎖または分岐鎖アルキレン基｛例えば、直鎖アルキレンの場合は−（ＣＨ２）ｎ−：ｎ＝１〜１８の整数を表す｝が好ましく、特に炭素数１〜８の直鎖または分岐鎖アルキレン基が好ましく、その中でも炭素数２〜６の直鎖または分岐鎖アルキレン基が好ましい。
【０１５５】
（ロ）Ｚ１、Ｚ２はそれぞれ独立に、−Ｃｌ、−ＮＲ３Ｒ４、−ＳＲ５、−ＯＲ５を表し、特に−ＮＲ３Ｒ４、−ＯＲ５が好ましく、その中でも−ＯＲ５が好ましい。
【０１５６】
（ハ）Ｒ３、Ｒ４はそれぞれ独立に水素原子、置換もしくは無置換のアルキル基、置換もしくは無置換のアリール基、置換もしくは無置換のアルケニル基、置換もしくは無置換のアラルキル基、置換もしくは無置換のヘテロ環基を表し、その中でも水素原子、置換もしくは無置換のアルキル基、置換アリール基、置換もしくは無置換のアルケニル基、置換もしくは無置換のアラルキル基、置換もしくは無置換のヘテロ環基が好ましく、特に水素原子、またはイオン性親水性基もしくは水酸基を置換基として有する炭素数１〜４のアルキル基が好ましい。
Ｒ３、Ｒ４は互いに結合して含窒素５員、６員環を形成する場合は、モルホリノ基、ピペリジル基が好ましく、モルホリノ基が特に好ましい。
【０１５７】
（ニ）Ｒ５は水素原子、置換もしくは無置換のアルキル基、置換もしくは無置換のアリール基、置換もしくは無置換のアルケニル基、置換もしくは無置換のアラルキル基、置換もしくは無置換のヘテロ環基を表し、その中でも水素原子、置換もしくは無置換のアルキル基、置換アリール基、置換もしくは無置換のアルケニル基、置換もしくは無置換のアラルキル基、置換もしくは無置換のヘテロ環基が好ましく、特に水素原子、またはイオン性親水性基もしくは水酸基を置換基として有する炭素数１〜４のアルキル基が好ましい。
【０１５８】
（ホ）Ｒ１０は、前記のＲ５と同義であり、好ましい例も同様である。
【０１５９】
（ヘ）Ｇが表すイオン性親水性基は、スルホ基、カルボキシル基、ホスホノ基および４級アンモニウム基が好ましく、中でもスルホ基、カルボキシル基、およびホスホノ基が好ましく、特にスルホ基、カルボキシル基が好ましい。スルホ基、カルボキシル基およびホスホノ基は塩の状態であってもよく、塩を形成する対イオンの例には、アンモニウムイオン、アルカリ金属イオン（例、リチウムイオン、ナトリウムイオン、カリウムイオン）および有機カチオン（例、テトラメチルアンモニウムイオン、テトラメチルグアニジニウムイオン、テトラメチルホスホニウム）が含まれる。対イオンの中でもアルカリ金属塩が好ましく、特にリチウム塩は染料の溶解性を高めインク安定性を向上させるため特に好ましい。
【０１６０】
（ト）Ｐｃは、（ｋ＋ｌ）価の一般式（ＩＩ）で表されるフタロシアニン核を表し、特に（ｋ＋ｌ）価の一般式（ＶＩ）で表されるフタロシアニン核が好ましく、その中でも（ｋ＋ｌ）価の一般式（ＶＩＩ）で表されるフタロシアニン核が最も好ましい。
【０１６１】
（チ）Ｙ１、Ｙ２、Ｙ３、Ｙ４、Ｙ５、Ｙ６、Ｙ７及びＹ８は、それぞれ独立に、水素原子、ハロゲン原子が好ましく、特に水素原子が最も好ましい。
【０１６２】
（リ）Ｍとしては、Ｃｕ、Ｎｉ、Ｚｎ、Ａｌ等が好ましく、Ｃｕが最も好ましい。
【０１６３】
上記（イ）〜（リ）に加えて、更に、
（ヌ）フタロシアニン化合物の平均分子量（フタル酸誘導体の仕込み比率から決まる分子量分布を持つ）は７５０〜２５００の範囲が好ましく、更に９９５〜２５００の範囲の分子量が好ましく、その中でも９９５〜２０００の範囲の分子量が好ましく、特に９９５〜１８００の範囲の分子量が最も好ましい。
【０１６４】
また、前記一般式（ＶＩＩＩ）で表されるフタロシアニン化合物中には、フタロシアニン核１単位あたりイオン性親水性基を少なくとも１個以上有し、特にイオン性親水性基がスルホ基であるのが好ましい、その中でもスルホ基を２個以上有するものが最も好ましい。
フタロシアニン核１単位あたり少なくとも１つ以上のイオン性親水性基を有しているので、水性媒体中に対する溶解性または分散性が良好である。
【０１６５】
本発明の前記一般式（ＶＩＩＩ）で表されるフタロシアニン化合物の好ましい置換基の組み合わせについては、種々の置換基の少なくとも１つが前記の好ましい基である化合物が好ましく、より多くの種々の置換基が前記好ましい基である化合物がより好ましく、全ての置換基が前記好ましい基である化合物が最も好ましい。
【０１６６】
次に、本発明のフタロシアニン化合物の構造と性能の相関について、画像形成用インクに特に好適な（１）フタロシアニン化合物の酸化電位、（２）フタロシアニン化合物の構造的な特徴について；（１）と（２）に分けて説明する。
【０１６７】
（１）フタロシアニン化合物の酸化電位：
本発明のフタロシアニン化合物の製造方法において、前記フタル酸誘導体の溶解性基もしくはその前駆体であるＸ’や置換基Ｙとして、電子吸引性の大きな置換基を選択することで、得られるフタロシアニン化合物の酸化電位を高く（貴に）調整でき、オゾンや一重項酸素などの活性ガス（例えば酸化性ガス）に対して反応性をより抑制することが可能となり、活性ガスに対して耐性を持つ色素を得ることができる。
【０１６８】
このような電子吸引性を示す尺度として、ハメットの置換基定数σｐ値（以下、単に「σｐ値」という）を用いることができ、溶解性基のσｐ値が０．４０以上であることが好ましく、より好ましくは０．４５以上であり、さらに好ましくは０．５０以上である。但し、溶解性基のσｐ値が０．４０以上の場合、得られるフタロシアニン化合物（原料であるフタル酸誘導体も含む）にはスルホ基は含まない、または、フタロシアニン化合物におけるフタロシアニン核（ベンゼン環構造：原料であるフタル酸誘導体の場合、そのベンゼン環構造）に直接スルホ基が結合することはない。スルホ基を有する場合は必ずフタロシアニン核に連結基を介して結合してなる。
【０１６９】
なお、得られるフタロシアニン化合物が、その構造中のフタロシアニン核（ベンゼン環構造）に水素原子以外の複数の置換基（溶解性基も含む）を有する場合、置換基（溶解性基も含む）のσｐ値の総和が０．５０以上であることが好ましく、より好ましくは０．５５以上であり、さらに好ましくは０．６０以上である。
【０１７０】
ここで、ハメットの置換基定数σｐ値について若干説明する。ハメット則は、ベンゼン誘導体の反応又は平衡に及ぼす置換基の影響を定量的に論ずるために１９３５年Ｌ．Ｐ．Ｈａｍｍｅｔｔにより提唱された経験則であるが、これは今日広く妥当性が認められている。ハメット則に求められた置換基定数にはσｐ値とσｍ値があり、これらの値は多くの一般的な成書に見出すことができるが、例えば、Ｊ．Ａ．Ｄｅａｎ編、「Ｌａｎｇｅ’ｓ  Ｈａｎｄｂｏｏｋ  ｏｆ  Ｃｈｅｍｉｓｔｒｙ」第１２版、１９７９年（Ｍｃ  Ｇｒａｗ−Ｈｉｌｌ）や「化学の領域」増刊、１２２号、９６〜１０３頁、１９７９年（南光堂）に詳しい。
【０１７１】
このように、溶解性基として、電子吸引性の大きな置換基を導入した結果、酸化電位が貴なフタロシアニン化合物を得ることができるが、その酸化電位としては、１．０Ｖ（ｖｓ  ＳＣＥ）よりも貴であることが好ましい。酸化電位は貴であるほど好ましく、酸化電位が１．１Ｖ（ｖｓ  ＳＣＥ）よりも貴であることがより好ましく、１．１５Ｖ（ｖｓ  ＳＣＥ）より貴であることが最も好ましい。
【０１７２】
この酸化電位の値（Ｅｏｘ）は当業者が容易に測定することができる。この方法に関しては、例えばＰ．Ｄｅｌａｈａｙ著”Ｎｅｗ  ＩｎｓｔｒｕｍｅｎｔａｌＭｅｔｈｏｄｓ  ｉｎ  Ｅｌｅｃｔｒｏｃｈｅｍｉｓｔｒｙ”（１９５４年  Ｉｎｔｅｒｓｃｉｅｎｃｅ  Ｐｕｂｌｉｓｈｅｒｓ社刊）やＡ．Ｊ．Ｂａｒｄ他著”Ｅｌｅｃｔｒｏｃｈｅｍｉｃａｌ  Ｍｅｔｈｏｄｓ”（１９８０年  ＪｏｈｎＷｉｌｅｙ＆Ｓｏｎｓ社刊）、藤嶋昭他著”電気化学測定法”（１９８４年  技報堂出版社刊）に記載されている。
【０１７３】
酸化電位の測定に用いる支持電解質や溶媒は、被験試料の酸化電位や溶解性により適当なものを選ぶことができる。用いることができる支持電解質や溶媒については藤嶋昭他著”電気化学測定法”（１９８４年  技報堂出版社刊）１０１〜１１８ページに記載がある。
本発明では、酸化電位は、過塩素酸テトラプロピルアンモニウムを支持電解質として含むジメチルホルムアミド中に、被験試料を１×１０−４〜１×１０−６モル／リットル溶解して、直流ポーラログラフィーを用いて、作用極として炭素（ＧＣ）電極、対極として白金電極、参照極としてＳＣＥ（飽和カロメル電極）に対する値として測定する。この値は、液間電位差や試料溶液の液抵抗などの影響で、数１０ミルボルト程度偏位することがあるが、標準試料（例えばハイドロキノン）を入れて電位の再現性を保証することができる。
【０１７４】
本発明のフタロシアニン化合物では、いずれも酸化電位が１．０Ｖ（ｖｓ  ＳＣＥ）よりも貴であり、この物性値を有することがインクとして用いた時に形成画像の堅牢性向上に非常に重要であることが見出された。
すなわち、本発明の目的の一つである形成画像の保存性改良（耐光性・耐オゾンガス性等）を達成する手段として、溶解性基として電子吸引性の置換基を導入することは極めて重要な構造上の特徴（フタロシアニン化合物の酸化電位を支配する）である。
【０１７５】
（２）本発明の一般式（Ｉ）、及び一般式（ＩＩ）、（ＶＩ）または（ＶＩＩ）で表されるフタロシアニン化合物は、下記一般式（ＸＶＩＩ）で説明するとβ−位置換型（２及び／または３位、６及び／または７位、１０及び／または１１位、１４及び／または１５位に特定の置換基を有するフタロシアニン化合物）にあたる。
【０１７６】
本発明のフタロシアニン化合物を染料としてインクに用いる際には、安定性、色相等の性能に、上記β−位置換型（２及び／または３位、６及び／または７位、１０及び／または１１位、１４及び／または１５位に特定の置換基を有するフタロシアニン化合物）に由来する会合体が有効に機能する。フタロシアニン化合物の会合体とは、２分子以上のフタロシアニン分子が会合体を形成したものをいう。
本発明である前記フタロシアニン化合物の会合体を利用することにより、単分子分散状態よりも光や熱及び酸化性ガス（特にオゾンガス）に対する安定性が著しく向上することが見出された。
更に、会合体を形成することで形成画像のスペクトル特性（シアン色相：画像形成材料用シアン染料として優れた吸収特性）が著しく良化し、且つ、各種被記録材差（例えば、普通紙、インクジェット用専用紙等）に起因する紙依存性が極めて小さい｛色相（色再現性）良好・耐水性向上；例えば、強固な会合体により、存在状態または媒染状態の差が小さいことに起因する｝ことも見出された。
【０１７７】
尚、染料が会合しているか否かは、例えば  Ｗｒｉｇｈｔ，Ｊ．Ｄ．著（江口太郎訳）「分子結晶」（化学同人）で説明されているように、吸収スペクトルにおける吸収極大（λｍａｘ）のシフトから容易に判断することができ、一般的には、長波側にシフトするＪ会合体、短波側にシフトするＨ会合体の２つに分類される。本発明のフタロシアニン化合物では、吸収極大が短波側にシフトすることで会合体の形成が確認され、本発明のインクではこの会合体を利用している。
【０１７８】
更に、本発明のフタロシアニン化合物に少なくとも１つ、５〜８員の含窒素へテロ環基、好ましくは上記一般式（ＩＩＩ）〜（Ｖ）で示される基を、置換基として導入する場合、極めて効率良く会合体を形成（会合状態を促進）することが見出された。
故に、本発明のフタロシアニン化合物、すなわち、特定の置換基（前記した−ＳＯ−Ｒ１及び／または−ＳＯ２−Ｒ２：各Ｒ１、Ｒ２の少なくとも１つは５〜８員の含窒素へテロ環基、好ましくは上記一般式（ＩＩＩ）〜（Ｖ）で示される基を置換基として有する）を特定の位置（β−位置換型）に特定の数、フタロシアニン母核に導入した構造上の特徴を有するフタロシアニン化合物が、会合状態を促進して形成画像の堅牢性と色相において最も好ましい構造であることを見出すに至った。
【０１７９】
すなわち、本発明のフタロシアニン化合物が特定の置換基を有するβ−位置換型である点は、本発明の目的の一つである（１）形成画像の保存性改良を達成し、および、もう一つの目的である（２）形成画像が極めて良好なスペクトル特性（シアン色相：画像形成材料用シアン染料として優れた吸収特性）を有し、且つ、（３）各種被記録材（例えば、普通紙、インクジェット用専用紙等）差に起因する紙依存性が小さい；（１）〜（３）を満足させるための極めて重要な構造上の特徴（フタロシアニン化合物の会合性促進を支配する）である。
【０１８０】
なお、本明細書において、オゾンガス耐性と称しているのは、オゾンガスに対する耐性を代表させて称しているのであって、オゾンガス以外の酸化性雰囲気に対する耐性をも含んでいる。すなわち、上記の本発明に係る一般式（Ｉ）で示されるフタロシアニン化合物は、自動車の排気ガスに多い窒素酸化物、火力発電所や工場の排気に多い硫黄酸化物、これらが太陽光によって光化学的にラジカル連鎖反応して生じたオゾンガスや酸素−窒素や酸素−水素ラジカルに富む光化学スモッグ、美容院などの特殊な薬液を使用する場所から発生する過酸化水素ラジカルなど、一般環境中に存在する酸化性ガスに対する耐性が強いことが特徴である。したがって、屋外広告や、鉄道施設内の案内など画像の酸化劣化が画像寿命を制約している場合には、本発明に係るフタロシアニン化合物を画像形成材料として用いることによって、酸化性雰囲気耐性、すなわち、いわゆるオゾンガス耐性を向上させることができる。
【０１８１】
次に、本発明のフタロシアニン化合物の製造方法おける、フタル酸誘導体と金属誘導体との合成条件について詳細に説明する。
【０１８２】
フタル酸誘導体と金属誘導体との使用量の比率は、モル比（金属誘導体：フタル酸誘導体）で１：３〜１：６が好ましく、特に１：４が好ましい。
【０１８３】
フタル酸誘導体と金属誘導体との反応は、通常、溶媒の存在下に行われる。溶媒としては、沸点８０℃以上、好ましくは１３０℃以上の有機溶媒が用いられる。例えばｎ−アミルアルコール、ｎ−ヘキサノール、シクロヘキサノール、２−メチル−１−ペンタノール、１−ヘプタノール、２−ヘプタノール、１−オクタノール、２−エチルヘキサノール、ベンジルアルコール、エチレングリコール、ジエチレングリコール、プロピレングリコール、エトキシエタノール、プロポキシエタノール、ブトキシエタノール、ジメチルアミノエタノール、ジエチルアミノエタノール、トリクロロベンゼン、クロロナフタレン、スルフォラン、ニトロベンゼン、キノリン、尿素等がある。溶媒の使用量はフタル酸誘導体の１〜１００質量倍であることが好ましく、より好ましくは１．５〜２０質量倍である。
【０１８４】
フタル酸誘導体と金属誘導体との反応は、触媒の存在下で行われてもよい。触媒としては１，８−ジアザビシクロ［５．４．０］−７−ウンデセン（ＤＢＵ）或いはモリブデン酸アンモニウム等が挙げられる。触媒の使用量はフタル酸誘導体１モルに対して、０．１〜１０倍モルであることが好ましく、より好ましくは０．５〜２倍モルである。
【０１８５】
フタル酸誘導体と金属誘導体との反応は、７０〜３００℃の反応温度の範囲にて行なわれることが好ましく、より好ましくは７０〜２００℃の反応温度の範囲、さらに好ましくは９０〜１８０℃の反応温度の範囲である。この反応温度が７０℃未満であると反応速度が極端に遅くなることがあり、一方３００℃を超えると得られるフタロシアニン化合物の分解が起こる可能性がある。
【０１８６】
また、反応時間は２〜２０時間の範囲が好ましく、より好ましくは３〜１５時間の範囲、さらに好ましくは４〜１０時間の範囲である。この反応時間が２時間未満であると未反応原料が多く存在してしまうことがあり、一方２０時間を超えと得られるフタロシアニン化合物の分解が起こる可能性がある。
【０１８７】
本発明のフタロシアニン化合物の製造方法においては、これらの反応によって得られる生成物（フタロシアニン化合物）は通常の有機合成反応の後処理方法に従って処理した後、精製してあるいは精製せずに供することができる。
すなわち、例えば、反応系から遊離したものを精製せずに、あるいは再結晶、カラムクロマトグラフィー（例えば、ゲルパーメーションクロマトグラフィ（ＳＥＰＨＡＤＥＸＴＭＬＨ−２０：Ｐｈａｒｍａｃｉａ製）等にて精製する操作を単独、又は組み合わせて行ない、供することができる。
【０１８８】
また、反応終了後、反応溶媒を留去して、あるいは留去せずに水、又は氷にあけ、中和して又は中和せずに遊離したものを精製せずに、あるいは再結晶、カラムクロマトグラフィー等にて精製する操作を単独に、又は組み合わせて行なった後、供することもできる。
【０１８９】
一般に、インクジェット記録用インク組成物として種々のフタロシアニン化合物を使用することが知られている。下記一般式（ＸＶＩＩ）で表されるフタロシアニン化合物は、その合成時において不可避的に置換基Ｒｎ（ｎ＝１〜１６）の置換位置（Ｒ１：１位〜Ｒ１６：１６位とここで定義する）異性体を含む場合があるが、これら置換位置異性体は互いに区別することなく同一誘導体として見なしている場合が多い。また、Ｒの置換基に異性体が含まれる場合も、これらを区別することなく、同一のフタロシアニン化合物として見なしている場合が多い。
【０１９０】
【化２７】
2004277456.tif 000020
【０１９１】
本明細書中で定義するフタロシアニン化合物において構造が異なる場合とは、一般式（ＸＶＩＩ）で説明すると、置換基Ｒｎ（ｎ＝１〜１６）の構成原子種が異なる場合、置換基Ｒｎの数が異なる場合または置換基Ｒｎの位置が異なる場合の何れかである。
【０１９２】
本発明において、上記一般式（ＸＶＩＩ）で表されるフタロシアニン化合物の構造が異なる（特に、置換位置）誘導体を以下の三種類に分類して定義する。
・β−位置換型：（２及び／または３位、６及び／または７位、１０及び／または１１位、１４及び／または１５位に特定の置換基を有するフタロシアニン化合物）
・α−位置換型：（１及び／または４位、５及び／または８位、９及び／または１２位、１３及び／または１６位に特定の置換基を有するフタロシアニン化合物）
・α，β−位混合置換型：（１〜１６位に規則性なく、特定の置換基を有するフタロシアニン化合物）
【０１９３】
本明細書中において、構造が異なる（特に、置換位置）フタロシアニン誘導体を説明する場合、上記（１）β−位置換型、（２）α−位置換型、（３）α，β−位混合置換型を使用する。
【０１９４】
前述した方法により得られる本発明の前記一般式（Ｉ）または（ＶＩＩＩ）で表されるフタロシアニン化合物は、通常、Ｇ１、Ｇ２、Ｇ３、Ｇ４の各置換基の導入位置（導入位置はβ位であることは共通）における異性体である下記一般式（ａ）−１〜（ａ）−４で表される化合物の混合物となっている。
【０１９５】
【化２８】
2004277456.tif 000021
【０１９６】
すなわち、上記一般式（ａ）−１〜（ａ）−４で表される化合物は、β−位置換型（２及び／または３位、６及び／または７位、１０及び／または１１位、１４及び／または１５位に特定の置換基を有するフタロシアニン化合物）であり、α−位置換型（１及び／または４位、５及び／または８位、９及び／または１２位、１３及び／または１６位に特定の置換基を有するフタロシアニン化合物）及びα，β−位混合置換型（１〜１６位に規則性なく、特定の置換基を有するフタロシアニン化合物）とは全く構造の異なる（特定の置換基の導入位置が異なる）化合物であり、本発明のフタロシアニン化合物がβ−位置換型であることは、本発明の目的を達成する手段として極めて重要な構造上の特徴である。
【０１９７】
本発明の課題を解決した原因は詳細には不明ではあるが、溶解性基がβ位にのみ導入された誘導体は、その他のものと比較して色相・光堅牢性・オゾンガス耐性等において圧倒的に優れている傾向にある。
詳しくは、▲１▼良好な分光吸収特性（β位に特定の溶解性基導入によるフタロシアニン化合物の会合状態が促進されることによる）；▲２▼高い画像堅牢性（高酸化電位と強固な会合状態の促進により、例えば、フタロシアニン化合物と親電子試薬であるオゾンガスとの酸化反応による褪色が抑制される）；▲３▼インク組成物への高い溶解性；▲４▼良好なインク液経時安定性付与；を有する本発明のフタロシアニン化合物が、特定の溶解基を特定の置換位置（β位）に特定の数だけ選択的に導入による、すなわち、高酸化電位で且つ完全β−位置換型フタロシアニン化合物の強固な会合体を形成し且つ特定の溶解性基が目的の数だけ選択的に導入可能により達成したものと考えられる。
【０１９８】
この場合、前記フタル酸誘導体としては、溶解性基もしくはその前駆体であるＸ’として電子吸引性の大きな置換基を、Ｙは水素原子であるものを選択する方が合成上好ましい。
【０１９９】
これらの特定の置換基による構造上の特徴によってもたらされる色相・光堅牢性・オゾンガス耐性等の向上効果並び着色組成物（インク）に対する要求特性の付与は、前記先行技術から全く予想することができないものであった。
【０２００】
以下、本発明のフタロシアニン化合物｛一般式（Ｉ）または（ＶＩＩＩ）、及び一般式（ＩＩ）、（ＶＩ）または（ＶＩＩ）で表され、一般式（ＩＩＩ）、（ＩＶ）または（Ｖ）で表される置換基を有するフタロシアニン化合物｝の具体例（例示化合物１〜１４０）を挙げるが、本発明は、これら具体例に限定されるわけではない。
【０２０１】
下記表１〜表４中、一般式（ＸＶＩＩＩ）は、（ｋ）価のフタロシアニン核（置換基Ｒの導入位置は、本発明で定義したβ位置換型である）を有するフタロシアニン化合物を表す。
Ｒは、Ｒ１を表し、ｔは１〜２の数を表す。
ｋは４≦ｋ≦８の数を表す。
【０２０２】
【化２９】
2004277456.tif 000022
【０２０３】
【表１】
2004277456.tif 000023
【０２０４】
【表２】
2004277456.tif 000024
【０２０５】
【表３】
2004277456.tif 000025
【０２０６】
【表４】
2004277456.tif 000026
【０２０７】
下記表５〜表６中、一般式（ＸＩＸ）は、（ｋ＋ｌ）価のフタロシアニン核（置換基Ｒの導入位置は、本発明で定義したβ位置換型である）を有するフタロシアニン化合物を表す。
Ｒは、Ｒ１および／またはＲ２を表し、ｔは１〜２の数を表す。
ｋは０＜ｋ＜８の数を表し、ｌは０＜ｌ＜８の数を表す。但し、４≦ｋ＋ｌ≦８を満たす。
【０２０８】
【化３０】
2004277456.tif 000027
【０２０９】
【表５】
2004277456.tif 000028
【０２１０】
【表６】
2004277456.tif 000029
【０２１１】
下記表７中、一般式（ＸＸ）は、（ｋ＋ｌ＋ｍ）価のフタロシアニン核（置換基Ｒの導入位置は、本発明で定義したβ位置換型である）を有するフタロシアニン化合物を表す。
Ｒは、Ｒ１、Ｒ２またはＲ３の少なくとも１つを表し、ｔは１〜２の数を表す。
ｋは０＜ｋ＜８の数を表し、ｌは０＜ｌ＜８の数を表し、ｍは０＜ｍ＜８の数を表す。但し、４≦ｋ＋ｌ＋ｍ≦８を満たす。
【０２１２】
【化３１】
2004277456.tif 000030
【０２１３】
【表７】
2004277456.tif 000031
【０２１４】
下記表８中、一般式（ＸＸＩ）は、（ｋ＋ｌ＋ｍ＋ｎ）価のフタロシアニン核（置換基Ｒの導入位置は、本発明で定義したβ位置換型である）を有するフタロシアニン化合物表す。
Ｒは、Ｒ１、Ｒ２、Ｒ３またはＲ４の少なくとも１つを表し、ｔは１〜２の数を表す。
ｋは０＜ｋ＜８の数を表し、ｌは０＜ｌ＜８の数を表し、ｍは０＜ｍ＜８の数を表し、ｎは０＜ｎ＜８の数を表す。但し、４≦ｋ＋ｌ＋ｍ＋ｎ≦８を満たす。
【０２１５】
【化３２】
2004277456.tif 000032
【０２１６】
【表８】
2004277456.tif 000033
【０２１７】
従来フタロシアニン誘導体は、特定の置換基の導入位置（場合によっては導入数）が異なる異性体の混合物として用いられており、本発明の化合物（一般式（Ｉ）または（ＶＩＩＩ）、及び一般式（ＩＩ）、（ＶＩ）または（ＶＩＩ）で表され、一般式（ＩＩＩ）、（ＩＶ）または（Ｖ）で表される置換基を有する化合物：特定の置換基を特定の位置に特定の数選択的に導入された特定の構造のフタロシアニン化合物）は、従来分離して認識されていない特定の構造の新規な化合物であり、その特定の構造が及ぼす性能は、高機能性を付与したインクジェット用染料及び該染料合成中間体として極めて有用である。（特定の置換基の導入位置異性体を混合した系すなわち従来のフタロシアニン化合物では、目的とする高いレベルの性能を発現不可能である）
【０２１８】
更に詳しくは、本発明のフタロシアニン化合物の用途としては、画像、特にカラー画像を形成するための材料が挙げられ、具体的には、インクジェット記録用記録材料（インク）を初めとして、感熱転写型画像記録材料、感圧記録材料、電子写真方式を用いる記録材料、転写式ハロゲン化銀感光材料、印刷インク、記録ペン等であり、好ましくはインクジェット記録用記録材料（インク）、感熱転写型画像記録材料、電子写真方式を用いる記録材料であり、更に好ましくはインクジェット記録用記録材料（インク）である。また、米国特許４８０８５０１号、特開平６−３５１８２号公報などに記載されているＬＣＤやＣＣＤなどの固体撮像素子で用いられているカラーフィルター、各種繊維の染色のための染色液にも適用できる。本発明のフタロシアニン化合物は、その用途に適した溶解性、熱移動性などの物性を、置換基により調整して使用することができる。
【０２１９】
［インクジェット記録用インク］
次に、本発明のインク、特にインクジェット記録用として好適に用いることができるインクジェット記録用インクについて説明する。
インクジェット記録用インクは、親油性媒体や水性媒体中に前記フタロシアニン化合物を溶解及び／又は分散させることによって作製することができる。好ましくは、水性媒体を用いたインクである。
必要に応じてその他の添加剤を、本発明の効果を害しない範囲内において含有される。その他の添加剤としては、例えば、乾燥防止剤（湿潤剤）、褪色防止剤、乳化安定剤、浸透促進剤、紫外線吸収剤、防腐剤、防黴剤、ｐＨ調整剤、表面張力調整剤、消泡剤、粘度調整剤、分散剤、分散安定剤、防錆剤、キレート剤等の公知の添加剤が挙げられる。これらの各種添加剤は、水溶性インクの場合にはインク液に直接添加する。油溶性染料を分散物の形で用いる場合には、染料分散物の調製後分散物に添加するのが一般的であるが、調製時に油相または水相に添加してもよい。
【０２２０】
乾燥防止剤はインクジェット記録方式に用いるノズルのインク噴射口において該インクジェット用インクが乾燥することによる目詰まりを防止する目的で好適に使用される。
乾燥防止剤としては、水より蒸気圧の低い水溶性有機溶剤が好ましい。具体的な例としてはエチレングリコール、プロピレングリコール、ジエチレングリコール、ポリエチレングリコール、チオジグリコール、ジチオジグリコール、２−メチル−１，３−プロパンジオール、１，２，６−ヘキサントリオール、アセチレングリコール誘導体、グリセリン、トリメチロールプロパン等に代表される多価アルコール類、エチレングリコールモノメチル（又はエチル）エーテル、ジエチレングリコールモノメチル（又はエチル）エーテル、トリエチレングリコールモノエチル（又はブチル）エーテル等の多価アルコールの低級アルキルエーテル類、２−ピロリドン、Ｎ−メチルー２−ピロリドン、１，３−ジメチル−２−イミダゾリジノン、Ｎ−エチルモルホリン等の複素環類、スルホラン、ジメチルスルホキシド、３−スルホレン等の含硫黄化合物、ジアセトンアルコール、ジエタノールアミン等の多官能化合物、尿素誘導体が挙げられる。これらのうちグリセリン、ジエチレングリコール等の多価アルコールがより好ましい。また上記の乾燥防止剤は単独で用いても良いし２種以上併用しても良い。これらの乾燥防止剤はインク中に１０〜５０質量％含有することが好ましい。
【０２２１】
浸透促進剤は、インクジェット用インクを紙により良く浸透させる目的で好適に使用される。浸透促進剤としてはエタノール、イソプロパノール、ブタノール，ジ（トリ）エチレングリコールモノブチルエーテル、１，２−ヘキサンジオール等のアルコール類やラウリル硫酸ナトリウム、オレイン酸ナトリウムやノニオン性界面活性剤等を用いることができる。これらはインク中に５〜３０質量％含有すれば通常充分な効果があり、印字の滲み、紙抜け（プリントスルー）を起こさない添加量の範囲で使用するのが好ましい。
【０２２２】
紫外線吸収剤は、画像の保存性を向上させる目的で使用される。紫外線吸収剤としては特開昭５８−１８５６７７号公報、同６１−１９０５３７号公報、特開平２−７８２号公報、同５−１９７０７５号公報、同９−３４０５７号公報等に記載されたベンゾトリアゾール系化合物、特開昭４６−２７８４号公報、特開平５−１９４４８３号公報、米国特許第３２１４４６３号明細書等に記載されたベンゾフェノン系化合物、特公昭４８−３０４９２号公報、同５６−２１１４１号公報、特開平１０−８８１０６号公報等に記載された桂皮酸系化合物、特開平４−２９８５０３号公報、同８−５３４２７号公報、同８−２３９３６８号公報、同１０−１８２６２１号公報、特表平８−５０１２９１号公報等に記載されたトリアジン系化合物、リサーチディスクロージャーＮｏ．２４２３９号に記載された化合物やスチルベン系、ベンズオキサゾール系化合物に代表される紫外線を吸収して蛍光を発する化合物、いわゆる蛍光増白剤も用いることができる。
【０２２３】
褪色防止剤は、画像の保存性を向上させる目的で使用される。前記褪色防止剤としては、各種の有機系及び金属錯体系の褪色防止剤を使用することができる。有機の褪色防止剤としてはハイドロキノン類、アルコキシフェノール類、ジアルコキシフェノール類、フェノール類、アニリン類、アミン類、インダン類、クロマン類、アルコキシアニリン類、ヘテロ環類などがあり、金属錯体としてはニッケル錯体、亜鉛錯体などがある。より具体的にはリサーチディスクロージャーＮｏ．１７６４３の第ＶＩＩのＩないしＪ項、同Ｎｏ．１５１６２、同Ｎｏ．１８７１６の６５０頁左欄、同Ｎｏ．３６５４４の５２７頁、同Ｎｏ．３０７１０５の８７２頁、同Ｎｏ．１５１６２に引用された特許に記載された化合物や特開昭６２−２１５２７２号公報の１２７頁〜１３７頁に記載された代表的化合物の一般式及び化合物例に含まれる化合物を使用することができる。
【０２２４】
防黴剤としては、デヒドロ酢酸ナトリウム、安息香酸ナトリウム、ナトリウムピリジンチオン−１−オキシド、ｐ−ヒドロキシ安息香酸エチルエステル、１，２−ベンズイソチアゾリン−３−オンおよびその塩等が挙げられる。これらはインク中に０．０２〜１．００質量％使用するのが好ましい。
【０２２５】
ｐＨ調整剤としては前記中和剤（有機塩基、無機アルカリ）を用いることができる。前記ｐＨ調整剤はインクジェット記録用インクの保存安定性を向上させる目的で、該インクジェット記録用インクがｐＨ６〜１０と夏用に添加するのが好ましく、ｐＨ７〜１０となるように添加するのがより好ましい。
【０２２６】
表面張力調整剤としてはノニオン、カチオンあるいはアニオン界面活性剤が挙げられる。なお、本発明のインクジェット用インクの表面張力は２５〜７０ｍＮ／ｍが好ましい。さらに２５〜６０ｍＮ／ｍが好ましい。また本発明のインクジェット記録用インクの粘度は３０ｍＰａ・ｓ以下が好ましい。更に２０ｍＰａ・ｓ以下に調整することがより好ましい。界面活性剤の例としては、脂肪酸塩、アルキル硫酸エステル塩、アルキルベンゼンスルホン酸塩、アルキルナフタレンスルホン酸塩、ジアルキルスルホコハク酸塩、アルキルリン酸エステル塩、ナフタレンスルホン酸ホルマリン縮合物、ポリオキシエチレンアルキル硫酸エステル塩等のアニオン系界面活性剤や、ポリオキシエチレンアルキルエーテル、ポリオキシエチレンアルキルアリルエーテル、ポリオキシエチレン脂肪酸エステル、ソルビタン脂肪酸エステル、ポリオキシエチレンソルビタン脂肪酸エステル、ポリオキシエチレンアルキルアミン、グリセリン脂肪酸エステル、オキシエチレンオキシプロピレンブロックコポリマー等のノニオン系界面活性剤が好ましい。また、アセチレン系ポリオキシエチレンオキシド界面活性剤であるＳＵＲＦＹＮＯＬＳ（ＡｉｒＰｒｏｄｕｃｔｓ＆Ｃｈｅｍｉｃａｌｓ社）も好ましく用いられる。また、Ｎ，Ｎ−ジメチル−Ｎ−アルキルアミンオキシドのようなアミンオキシド型の両性界面活性剤等も好ましい。更に、特開昭５９−１５７，６３６号の第（３７）〜（３８）頁、リサーチ・ディスクロージャーＮｏ．３０８１１９（１９８９年）記載の界面活性剤として挙げたものも使うことができる。
【０２２７】
消泡剤としては、フッ素系、シリコーン系化合物やＥＤＴＡに代表されるキレート剤等も必要に応じて使用することができる。
【０２２８】
本発明のフタロシアニン化合物を水性媒体に分散させる場合は、特開平１１−２８６６３７号、特願平２０００−７８４９１号、同２０００−８０２５９号、同２０００−６２３７０号等の各公報に記載されるように、色素と油溶性ポリマーとを含有する着色微粒子を水性媒体に分散したり、特願平２０００−７８４５４号、同２０００−７８４９１号、同２０００−２０３８５６号，同２０００−２０３８５７号の各明細書のように高沸点有機溶媒に溶解した本発明の化合物を水性媒体中に分散することが好ましい。本発明の化合物を水性媒体に分散させる場合の具体的な方法，使用する油溶性ポリマー、高沸点有機溶剤、添加剤及びそれらの使用量は、上記特許公報等に記載されたものを好ましく使用することができる。あるいは、前記フタロシアニン化合物を固体のまま微粒子状態に分散してもよい。分散時には、分散剤や界面活性剤を使用することができる。分散装置としては、簡単なスターラーやインペラー攪拌方式、インライン攪拌方式、ミル方式（例えば、コロイドミル、ボールミル、サンドミル、アトライター、ロールミル、アジテーターミル等）、超音波方式、高圧乳化分散方式（高圧ホモジナイザー；具体的な市販装置としてはゴーリンホモジナイザー、マイクロフルイダイザー、ＤｅＢＥＥ２０００等）を使用することができる。上記のインクジェット記録用インクの調製方法については、先述の特許以外にも特開平５−１４８４３６号、同５−２９５３１２号、同７−９７５４１号、同７−８２５１５号、同７−１１８５８４号、特開平１１−２８６６３７号、特願２０００−８７５３９号の各公報に詳細が記載されていて、本発明のインクジェット記録用インクの調製にも利用できる。
【０２２９】
水性媒体は、水を主成分とし、所望により、水混和性有機溶剤を添加した混合物を用いることができる。前記水混和性有機溶剤の例には、アルコール（例えば、メタノール、エタノール、プロパノール、イソプロパノール、ブタノール、イソブタノール、ｓｅｃ−ブタノール、ｔ−ブタノール、ペンタノール、ヘキサノール、シクロヘキサノール、ベンジルアルコール）、多価アルコール類（例えば、エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール）、グリコール誘導体（例えば、エチレングリコールモノメチルエーテル、エチレングリコールモノエチルエーテル、エチレングリコールモノブチルエーテル、ジエチレングルコールモノメチルエーテル、ジエチレングリコールモノブチルエーテル、プロピレングリコールモノメチルエーテル、プロピレングリコールモノブチルエーテル、ジプロピレングリコールモノメチルエーテル、トリエチレングリコールモノメチルエーテル、エチレングリコールジアセテート、エチレングリコールモノメチルエーテルアセテート、トリエチレングリコールモノメチルエーテル、トリエチレングリコールモノエチルエーテル、エチレングリコールモノフェニルエーテル）、アミン（例えば、エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレントリアミン、トリエチレンテトラミン、ポリエチレンイミン、テトラメチルプロピレンジアミン）及びその他の極性溶媒（例えば、ホルムアミド、Ｎ，Ｎ−ジメチルホルムアミド、Ｎ，Ｎ−ジメチルアセトアミド、ジメチルスルホキシド、スルホラン、２−ピロリドン、Ｎ−メチル−２−ピロリドン、Ｎ−ビニル−２−ピロリドン、２−オキサゾリドン、１，３−ジメチル−２−イミダゾリジノン、アセトニトリル、アセトン）が含まれる。尚、前記水混和性有機溶剤は、二種類以上を併用してもよい。
【０２３０】
本発明のインクジェット記録用インク１００質量部中は、前記フタロシアニン化合物を０．２質量部以上１０質量部以下含有するのが好ましい。また、本発明のインクジェット用インクには、前記フタロシアニン化合物とともに、他の色素を併用してもよい。２種類以上の色素を併用する場合は、色素の含有量の合計が前記範囲となっているのが好ましい。
【０２３１】
本発明のインクジェット記録用インクは、粘度が４０ｃｐ以下であるのが好ましい。また、その表面張力は２０ｍＮ／ｍ以上７０ｍＮ／ｍ以下であるのが好ましい。粘度及び表面張力は、種々の添加剤、例えば、粘度調整剤、表面張力調整剤、比抵抗調整剤、皮膜調整剤、紫外線吸収剤、酸化防止剤、褪色防止剤、防黴剤、防錆剤、分散剤及び界面活性剤を添加することによって、調整できる。
【０２３２】
本発明のインクジェット記録用インクは、単色の画像形成のみならず、フルカラーの画像形成に用いることができる。フルカラー画像を形成するために、マゼンタ色調インク、シアン色調インク、及びイエロー色調インクを用いることができ、また、色調を整えるために、更にブラック色調インクを用いてもよい。
【０２３３】
前記イエロー色調インクに適用できるイエロー染料としては、任意のものを使用することが出来る。例えばカップリング成分（以降カプラー成分と呼ぶ）としてフェノール類、ナフトール類、アニリン類、ピラゾロンやピリドン等のようなヘテロ環類、開鎖型活性メチレン化合物類、などを有するアリールもしくはヘテリルアゾ染料；例えばカプラー成分として開鎖型活性メチレン化合物類などを有するアゾメチン染料；例えばベンジリデン染料やモノメチンオキソノール染料等のようなメチン染料；例えばナフトキノン染料、アントラキノン染料等のようなキノン系染料などがあり、これ以外の染料種としてはキノフタロン染料、ニトロ・ニトロソ染料、アクリジン染料、アクリジノン染料等を挙げることができる。
【０２３４】
前記マゼンタ色調インクに適用できるマゼンタ染料としては、任意のものを使用することが出来る。例えばカプラー成分としてフェノール類、ナフトール類、アニリン類などを有するアリールもしくはヘテリルアゾ染料；例えばカプラー成分としてピラゾロン類、ピラゾロトリアゾール類などを有するアゾメチン染料；例えばアリーリデン染料、スチリル染料、メロシアニン染料、シアニン染料、オキソノール染料などのようなメチン染料；ジフェニルメタン染料、トリフェニルメタン染料、キサンテン染料などのようなカルボニウム染料、例えばナフトキノン、アントラキノン、アントラピリドンなどのようなキノン染料、例えばジオキサジン染料等のような縮合多環染料等を挙げることができる。
【０２３５】
前記シアン色調インクに適用できるシアン染料としては、任意のものを使用する事が出来る。例えばカプラー成分としてフェノール類、ナフトール類、アニリン類などを有するアリールもしくはヘテリルアゾ染料；例えばカプラー成分としてフェノール類、ナフトール類、ピロロトリアゾールのようなヘテロ環類などを有するアゾメチン染料；シアニン染料、オキソノール染料、メロシアニン染料などのようなポリメチン染料；ジフェニルメタン染料、トリフェニルメタン染料、キサンテン染料などのようなカルボニウム染料；フタロシアニン染料；アントラキノン染料；インジゴ・チオインジゴ染料などを挙げることができる。
【０２３６】
前記の各染料は、クロモフォアの一部が解離して初めてイエロー、マゼンタ、シアンの各色を呈するものであってもよく、その場合のカウンターカチオンはアルカリ金属や、アンモニウムのような無機のカチオンであってもよいし、ピリジニウム、４級アンモニウム塩のような有機のカチオンであってもよく、さらにはそれらを部分構造に有するポリマーカチオンであってもよい。
また、前記ブラック色調インクに適用できる黒色材としては、ジスアゾ、トリスアゾ、テトラアゾ染料のほか、カーボンブラックの分散体を挙げることができる。
【０２３７】
［インクジェット記録方法］
本発明のインクジェット記録方法は、前記インクジェット記録用インクにエネルギーを供与して、公知の受像材料、即ち普通紙、樹脂コート紙、例えば特開平８−１６９１７２号公報、同８−２７６９３号公報、同２−２７６６７０号公報、同７−２７６７８９号公報、同９−３２３４７５号公報、特開昭６２−２３８７８３号公報、特開平１０−１５３９８９号公報、同１０−２１７４７３号公報、同１０−２３５９９５号公報、同１０−３３７９４７号公報、同１０−２１７５９７号公報、同１０−３３７９４７号公報等に記載されているインクジェット専用紙、フイルム、電子写真共用紙、布帛、ガラス、金属、陶磁器等に画像を形成する。
【０２３８】
画像を形成する際に、光沢性や耐水性を与えたり耐候性を改善する目的からポリマー微粒子分散物（ポリマーラテックスともいう）を併用してもよい。ポリマーラテックスを受像材料に付与する時期については、着色剤を付与する前であっても，後であっても、また同時であってもよく、したがって添加する場所も受像紙中であっても、インク中であってもよく、あるいはポリマーラテックス単独の液状物として使用しても良い。具体的には、特願２０００−３６３０９０号、同２０００−３１５２３１号、同２０００−３５４３８０号、同２０００−３４３９４４号、同２０００−２６８９５２号、同２０００−２９９４６５号、同２０００−２９７３６５号等の各明細書に記載された方法を好ましく用いることが出きる。
【０２３９】
以下に、本発明のインクを用いてインクジェットプリントをするのに用いられる記録紙及び記録フィルムについて説明する。
記録紙及び記録フィルムにおける支持体は、ＬＢＫＰ、ＮＢＫＰ等の化学パルプ、ＧＰ、ＰＧＷ、ＲＭＰ、ＴＭＰ、ＣＴＭＰ、ＣＭＰ、ＣＧＰ等の機械パルプ、ＤＩＰ等の古紙パルプ等からなり、必要に応じて従来公知の顔料、バインダー、サイズ剤、定着剤、カチオン剤、紙力増強剤等の添加剤を混合し、長網抄紙機、円網抄紙機等の各種装置で製造されたもの等が使用可能である。これらの支持体の他に合成紙、プラスチックフィルムシートのいずれであってもよく、支持体の厚みは１０〜２５０μｍ、坪量は１０〜２５０ｇ／ｍ２が望ましい。
支持体には、そのままインク受容層及びバックコート層を設けてもよいし、デンプン、ポリビニルアルコール等でサイズプレスやアンカーコート層を設けた後、インク受容層及びバックコー卜層を設けてもよい。更に支持体には、マシンカレンダー、ＴＧカレンダー、ソフトカレンダー等のカレンダー装置により平坦化処理を行ってもよい。本発明では支持体として、両面をポリオレフィン（例えば、ポリエチレン、ポリスチレン、ポリエチレンテレフタレート、ポリブテン及びそれらのコポリマー）でラミネートした紙及びプラスチックフィルムがより好ましく用いられる。
ポリオレフィン中に、白色顔料（例えば、酸化チタン、酸化亜鉛）又は色味付け染料（例えば、コバルトブルー、群青、酸化ネオジウム）を添加することが好ましい。
【０２４０】
支持体上に設けられるインク受容層には、顔料や水性バインダーが含有される。顔料としては、白色顔料が好ましく、白色顔料としては、炭酸カルシウム、カオリン、タルク、クレー、珪藻土、合成非晶質シリカ、珪酸アルミニウム、珪酸マグネシウム、珪酸カルシウム、水酸化アルミニウム、アルミナ、リトポン、ゼオライト、硫酸バリウム、硫酸カルシウム、二酸化チタン、硫化亜鉛、炭酸亜鉛等の白色無機顔料、スチレン系ピグメント、アクリル系ピグメント、尿素樹脂、メラミン樹脂等の有機顔料等が挙げられる。インク受容層に含有される白色顔料としては、多孔性無機顔料が好ましく、特に細孔面積が大きい合成非晶質シリカ等が好適である。合成非晶質シリカは、乾式製造法によって得られる無水珪酸及び湿式製造法によって得られる含水珪酸のいずれも使用可能であるが、特に含水珪酸を使用することが望ましい。
【０２４１】
インク受容層に含有される水性バインダーとしては、ポリビニルアルコール、シラノール変性ポリビニルアルコール、デンプン、カチオン化デンプン、カゼイン、ゼラチン、カルボキシメチルセルロース、ヒドロキシエチルセルロース、ポリビニルピロリドン、ポリアルキレンオキサイド、ポリアルキレンオキサイド誘導体等の水溶性高分子、スチレンブタジエンラテックス、アクリルエマルジョン等の水分散性高分子等が挙げられる。これらの水性バインダーは単独又は２種以上併用して用いることができる。本発明においては、これらの中でも特にポリビニルアルコール、シラノール変性ポリビニルアルコールが顔料に対する付着性、インク受容層の耐剥離性の点で好適である。
インク受容層は、顔料及び水性結着剤の他に媒染剤、耐水化剤、耐光性向上剤、界面活性剤、その他の添加剤を含有することができる。
【０２４２】
インク受容層中に添加する媒染剤は、不動化されていることが好ましい。そのためには、ポリマー媒染剤が好ましく用いられる。
ポリマー媒染剤については、特開昭４８−２８３２５号、同５４−７４４３０号、同５４−１２４７２６号、同５５−２２７６６号、同５５−１４２３３９号、同６０−２３８５０号、同６０−２３８５１号、同６０−２３８５２号、同６０−２３８５３号、同６０−５７８３６号、同６０−６０６４３号、同６０−１１８８３４号、同６０−１２２９４０号、同６０−１２２９４１号、同６０−１２２９４２号、同６０−２３５１３４号、特開平１−１６１２３６号の各公報、米国特許２４８４４３０号、同２５４８５６４号、同３１４８０６１号、同３３０９６９０号、同４１１５１２４号、同４１２４３８６号、同４１９３８００号、同４２７３８５３号、同４２８２３０５号、同４４５０２２４号の各明細書に記載がある。特開平１−１６１２３６号公報の２１２〜２１５頁に記載のポリマー媒染剤を含有する受像材料が特に好ましい。同公報記載のポリマー媒染剤を用いると、優れた画質の画像が得られ、かつ画像の耐光性が改善される。
【０２４３】
耐水化剤は、画像の耐水化に有効であり、これらの耐水化剤としては、特にカチオン樹脂が望ましい。このようなカチオン樹脂としては、ポリアミドポリアミンエピクロルヒドリン、ポリエチレンイミン、ポリアミンスルホン、ジメチルジアリルアンモニウムクロライド重合物、カチオンポリアクリルアミド、コロイダルシリカ等が挙げられ、これらのカチオン樹脂の中で特にポリアミドポリアミンエピクロルヒドリンが好適である。これらのカチオン樹脂の含有量は、インク受容層の全固形分に対して１〜１５質量％が好ましく、特に３〜１０質量％であることが好ましい。
【０２４４】
耐光性向上剤としては、硫酸亜鉛、酸化亜鉛、ヒンダーアミン系酸化防止剤、ベンゾフェノン等のベンゾトリアゾール系の紫外線吸収剤等が挙げられる。これらの中で特に硫酸亜鉛が好適である。
【０２４５】
界面活性剤は、塗布助剤、剥離性改良剤、スベリ性改良剤あるいは帯電防止剤として機能する。界面活性剤については、特開昭６２−１７３４６３号、同６２−１８３４５７号の各公報に記載がある。界面活性剤の代わりに有機フルオロ化合物を用いてもよい。有機フルオロ化合物は、疎水性であることが好ましい。有機フルオロ化合物の例には、フッ素系界面活性剤、オイル状フッ素系化合物（例えば、フッ素油）及び固体状フッ素化合物樹脂（例えば、四フッ化エチレン樹脂）が含まれる。有機フルオロ化合物については、特公昭５７−９０５３号（第８〜１７欄）、特開昭６１−２０９９４号、同６２−１３５８２６号の各公報に記載がある。その他のインク受容層に添加される添加剤としては、顔料分散剤、増粘剤、消泡剤、染料、蛍光増白剤、防腐剤、ｐＨ調整剤、マット剤、硬膜剤等が挙げられる。なお、インク受容層は１層でも２層でもよい。
【０２４６】
記録紙及び記録フィルムには、バックコート層を設けることもでき、この層に添加可能な成分としては、白色顔料、水性バインダー、その他の成分が挙げられる。バックコート層に含有される白色顔料としては、例えば、軽質炭酸カルシウム、重質炭酸カルシウム、カオリン、タルク、硫酸カルシウム、硫酸バリウム、二酸化チタン、酸化亜鉛、硫化亜鉛、炭酸亜鉛、サチンホワイト、珪酸アルミニウム、ケイソウ土、珪酸カルシウム、珪酸マグネシウム、合成非晶質シリカ、コロイダルシリカ、コロイダルアルミナ、擬べーマイト、水酸化アルミニウム、アルミナ、リトポン、ゼオライト、加水ハロイサイト、炭酸マグネシウム、水酸化マグネシウム等の白色無機顔料、スチレン系プラスチックピグメント、アクリル系プラスチックピグメント，ポリエチレン、マイクロカプセル、尿素樹脂、メラミン樹脂等の有機顔料等が挙げられる。
【０２４７】
バックコート層に含有される水性バインダーとしては、スチレン／マレイン酸塩共重合体、スチレン／アクリル酸塩共重合体、ポリビニルアルコール、シラノール変性ポリビニルアルコール、デンプン、カチオン化デンプン、カゼイン、ゼラチン、カルボキシメチルセルロース、ヒドロキシエチルセルロース、ポリビニルピロリドン等の水溶性高分子、スチレンブタジエンラテックス、アクリルエマルジョン等の水分散性高分子等が挙げられる。バックコート層に含有されるその他の成分としては、消泡剤、抑泡剤、染料、蛍光増白剤、防腐剤、耐水化剤等が挙げられる。
【０２４８】
インクジェット記録紙及び記録フィルムの構成層（バックコート層を含む）には、ポリマーラテックスを添加してもよい。ポリマーラテックスは、寸度安定化、カール防止、接着防止、膜のひび割れ防止のような膜物性改良の目的で使用される。ポリマーラテックスについては、特開昭６２−２４５２５８号、同６２−１３１６６４８号、同６２−１１００６６号の各公報に記載がある。ガラス転移温度が低い（４０℃以下の）ポリマーラテックスを媒染剤を含む層に添加すると、層のひび割れやカールを防止することができる。また、ガラス転移温度が高いポリマーラテックスをバックコート層に添加しても、カールを防止することができる。
【０２４９】
本発明のインクは、インクジェットの記録方式に制限はなく、公知の方式、例えば静電誘引力を利用してインクを吐出させる電荷制御方式、ピエゾ素子の振動圧力を利用するドロップオンデマンド方式（圧力パルス方式）、電気信号を音響ビームに変えインクに照射して、放射圧を利用してインクを吐出させる音響インクジェット方式、及びインクを加熱して気泡を形成し、生じた圧力を利用するサーマルインクジェット方式等に用いられる。インクジェット記録方式には、フォトインクと称する濃度の低いインクを小さい体積で多数射出する方式、実質的に同じ色相で濃度の異なる複数のインクを用いて画質を改良する方式や無色透明のインクを用いる方式が含まれる。
【０２５０】
【実施例】
［合成例］
以下、実施例に本発明のフタロシアニン化合物の合成法を詳しく説明するが、本発明はこれらの実施例に何ら限定されるものではない。
【０２５１】
本発明の代表的なフタロシアニン化合物は、例えば下記合成ルートから誘導することができる。以下の実施例において、λｍａｘは吸収極大波長であり、εｍａｘは吸収極大波長におけるモル吸光係数を意味する。
【０２５２】
【化３３】
2004277456.tif 000034
【０２５３】
合成例：例示化合物１２２の合成
化合物１の合成
窒素気流下、４−ニトロフタロニトリル（東京化成）５０ｇを２４０ｍＬのＤＭＳＯ（ジメチルスルホキシド）に溶解し、内温２０℃で攪拌しているところへ、６３．５ｇの３−メルカプト−プロパン−スルホン酸ナトリウム（アルドリッチ）を添加した。続いて、内温２０℃で攪拌しているところへ、３３．７ｇの無水炭酸ナトリウムを徐々に加えた。反応液を攪拌しながら、３０℃まで加温し、同温度で１時間撹拌した。２０℃まで冷却した後、反応液をヌッチェでろ過し、ろ液を１４７０ｍＬの２０％塩化リチウム水溶液にあけて晶析し、引き続き室温で３０分間撹拌して、析出した粗結晶をヌッチェでろ過し、３００ｍＬのイソプロパノール洗浄し、乾燥した後、７５．３ｇの化合物１を得た。１Ｈ−ＮＭＲ（ＤＭＳＯ−ｄ６），δ値ＴＭＳ基準：１．９〜２．０（２Ｈ，ｔ）；２．５〜２．６（２Ｈ，ｍ）；３．２〜３．３（２Ｈ，ｔ）；７．７５〜７．８５（１Ｈ，ｄ）；７．９３〜８．０３（１Ｈ，ｄ）；８．０５〜８．１３（１Ｈ，ｓ）
【０２５４】
化合物２の合成
７２ｇの化合物１を５ｍＬの酢酸と１２０ｍＬのＨ２Ｏに溶解し、内温２０℃で攪拌しているところへ、１．５ｇＮａ２ＷＯ４・２Ｈ２Ｏを添加した後、氷浴中、内温１０℃まで冷却した。引き続き、６０ｍＬの過酸化水素水（３０％）を発熱に注意しながら徐々に滴下した。内温１５〜２０℃で３０分間撹拌した後に、反応液を内温６０℃まで加温して、同温度で１時間撹拌した。２０℃まで冷却した後、反応液に５０ｍＬのイソプロパノールを注入し、引き続き同温度で２５ｇの塩化リチウムを添加した後３０分間撹拌した。析出した結晶をヌッチェでろ過し、２００ｍＬのイソプロパノールで洗浄し、乾燥した後７５．１ｇの化合物２を得た。１Ｈ−ＮＭＲ（ＤＭＳＯ−ｄ６），δ値ＴＭＳ基準：１．８１〜１．９１（２Ｈ，ｍ）；２．２９〜２．５４（２Ｈ，ｔ）；３．６２〜３．６７２Ｈ，ｔ）；８．０７〜８．１６（１Ｈ，ｄ）；８．３０〜８．３６（１Ｈ，ｄ）；８．６６（１Ｈ，ｓ）
【０２５５】
化合物３の合成
７５ｇの化合物２を３００ｍＬのアセトニトリルに懸濁し、内温２０℃で攪拌しているところへ、２２０ｍＬのＰＯＣｌ３を滴下した。引き続き、内温を８０℃まで昇温して同温度で９０分間撹拌した。次に、反応液を内温２０℃まで冷却し、２０００ｍＬの氷水に反応液を内温３０℃以上にならないように注入して晶析した。析出した結晶をヌッチェでろ過し、２０００ｍＬのＨ２Ｏで洗浄後、１０００ｍＬのイソプロパノールで洗浄し、乾燥した後７２．８ｇの化合物３を得た。１Ｈ−ＮＭＲ（ＤＭＳＯ−ｄ６），δ値ＴＭＳ基準：１．８１〜１．９１（２Ｈ，ｍ）；２．４９〜２．５４（２Ｈ，ｔ）；３．６２〜３．７４（２Ｈ，ｔ）；８．０７〜８．１６（１Ｈ，ｄ）；８．３６〜８．４９（１Ｈ，ｄ）；８．６６〜８．６７（２Ｈ，ｓ）
【０２５６】
化合物４の合成
２０ｇの化合物３を２００ｍＬのアセトニトリルに内温３５℃で添加して溶解し、引き続き、２５ｇの化合物α／１２５ｍＬのＨ２Ｏ溶液を、内温１０℃で滴下した。次に、撹拌しながら内温２０℃まで昇温し同温度で１時間撹拌した。次に、５ｍＬのピリジンを内温が３０℃を超えない速度で滴下し、引き続き内温を５０℃まで昇温して、同温度で１時間撹拌した。次に、同温度で３４ｇの塩化リチウム／１０００ｍＬのイソプロパノール溶液を滴下し、引き続き同温度で１時間撹拌した後、室温まで徐冷した。析出した結晶をヌッチェでろ過し、１０００ｍＬのイソプロパノールで洗浄し、乾燥後１８．５ｇの化合物４を得た。
【０２５７】
化合物１２２の合成
１０ｇの化合物２と６．３ｇの化合物４を１．５ｍＬの酢酸と１００ｍＬのエチレングリコール混合溶液に内温１１０℃で溶解させた。引き続き、内温８０℃に冷却後、１．５ｇの酢酸リチウム、１．３ｇの塩化第二銅（無水）を添加し、内温を９０℃まで加温した。同温度で３時間攪拌後、内温で、２７．８ｍＬの濃塩酸を滴下した。続いて、同温度で１時間撹拌した後、内温を６０℃まで冷却し、１５．０ｇの塩化リチウムを加え、同温度で３００ｍＬのイソプロパノールを滴下し晶析した。次に、内温を３０℃まで冷却後、晶析物をろ過し、３００ｍＬのイソプロパノールで洗浄を行った。乾燥した１０．０ｇの粗結晶を９０ｍＬのイオン交換水に溶解後、５０℃で２．５Ｎ−ＬｉＯＨａｑ．をｐＨ１０．５になるまで添加した。引き続き、同温度で水溶液をゴミ取りろ過し、ろ液を内温９０℃まで昇温し、同温度で３０分攪拌後、４００ｍＬのイソプロパノールを滴下して晶析した。懸濁液を室温まで冷却後、析出物を吸引ろ過し、３００ｍＬのイソプロパノールで洗浄を行い、８０℃で３０時間乾燥した。収量７．５ｇ  回収率７５％。溶液吸収（Ｈ２Ｏ）：λｍａｘ＝６２０．０ｎｍ，εｍａｘ＝５５０００。
【０２５８】
［実施例１］
下記の成分に脱イオン水を加え１リッターとした後、３０〜４０℃で加熱しながら１時時間撹拌した。その後ＫＯＨ  １０ｍｏｌ／ＬにてｐＨ＝９に調製し、平均孔径０．２５μｍのミクロフィルターで減圧濾過しシアン用インク液を調製した。
【０２５９】
インク液Ａの組成：
本発明のフタロシアニン化合物（例示化合物１０１）    ６．８０ｇ
ジエチレングリコール                                １０．６５ｇ
グリセリン                                          １４．７０ｇ
ジエチレングリコールモノブチルエーテル              １２．７０ｇ
トリエタノールアミン                                  ０．６５ｇ
オルフィンＥ１０１０                                    ０．９ｇ
【０２６０】
フタロシアニン化合物を、下記表９に示すように変更した以外は、インク液Ａの調製と同様にして、インク液Ｂ〜Ｅ、比較用のインク液として、以下の化合物を用いてインク液１０１、１０２、１０３、１０４を調整した。
【０２６１】
【化３４】
2004277456.tif 000035
【０２６２】
【化３５】
2004277456.tif 000036
【０２６３】
【化３６】
2004277456.tif 000037
【０２６４】
【化３７】
2004277456.tif 000038
【０２６５】
染料を変更する場合は、添加量がインク液Ａに用いた染料に対して等モルとなるように使用した。染料を２種以上併用する場合は等モルずつ使用した。
【０２６６】
（画像記録及び評価）
以上の各実施例（インク液Ａ〜Ｅ）及び比較例（インク液１０１〜１０４）のインクジェット用インクについて、下記評価を行った。その結果を表９に示した。
なお、表９において、「色調」、「紙依存性」、「耐水性」及び「耐光性」は、各インクジェット用インクを、インクジェットプリンター（ＥＰＳＯＮ（株）社製；ＰＭ−７００Ｃ）でフォト光沢紙（ＥＰＳＯＮ社製ＰＭ写真紙＜光沢＞（ＫＡ４２０ＰＳＫ、ＥＰＳＯＮ）に画像を記録した後で評価したものである。
【０２６７】
＜色調＞
フォト光沢紙に形成した画像を、３９０〜７３０ｎｍ領域のインターバル１０ｎｍによる反射スペクトルをＧＲＥＴＡＧ  ＳＰＭ１００−ＩＩ（ＧＲＥＴＡＧ社製）を用いて測色し、これをＣＩＥ（国際照明委員会）  Ｌ＊ａ＊ｂ＊色空間系に基づいて、ａ＊、ｂ＊を算出した。
ＪＮＣ（社団法人日本印刷産業機械工業会）のＪＡＰＡＮ  Ｃｏｌｏｕｒ  （日本印刷産業連合会のメンバー２１社から提供された、各社の校正刷りのベタパッチを測色し、その平均値に対して色差（ΔＥ）が最小になるように、Ｊａｐａｎ  Ｃｏｌｏｕｒ  Ｉｎｋ  ＳＦ−９０及びＪａｐａｎ  Ｐａｐｅｒを使用して印刷したときの色）の標準シアンのカラーサンプルと比較してシアンとして好ましい色調を下記のように定義した。
Ｌ＊  ：    ５３．６±０．２の範囲において、
○：  ａ＊（−３５．９±６の範囲）、及び、ｂ＊（−５０．４±６の範囲）
△：  ａ＊、ｂ＊の一方のみ（上記○で定義した好ましい領域）
×：  ａ＊、ｂ＊のいずれも（上記○で定義した好ましい領域外）
ここで、参考に用いた  ＪＡＰＡＮ  Ｃｏｌｏｒの標準シアンのカラーサンプルの測色値を以下に示す。
Ｌ＊：    ５３．６±０．２
ａ＊：−３７．４±０．２
ｂ＊：−５０．２±０．２
ΔＥ：  ０．４（０．１〜０．７）
（１）印刷機：マンローランドＲ−７０４，  インキ：Ｊａｐａｎ  Ｃｏｌｏｕｒ
ＳＦ−９０，用紙：特菱アート
（２）測色    ：測色計；Ｘ−ｒｉｔｅ  ９３８，  ０／４５，Ｄ５０，２ｄｅｇ．，ｂｌａｃｋ  ｂａｃｋｉｎｇ
【０２６８】
＜紙依存性＞
フォト光沢紙に形成した画像と、別途にプロフェショナルフォトペーパーＰＲ１０１（ＣＡＮＯＮ社製；ＱＢＪＰＲＡ４）に形成した画像との色調を比較し、両画像間の差が小さい場合をＡ（良好）、両画像間の差が大きい場合をＢ（不良）として、二段階で評価した。
【０２６９】
＜耐水性＞
画像を形成したフォト光沢紙を、１時間室温乾燥した後、１０秒間脱イオン水に浸漬し、室温にて自然乾燥させ、滲みを観察した。滲みが無いものをＡ、滲みが僅かに生じたものをＢ、滲みが多いものをＣとして、三段階で評価した。
【０２７０】
＜耐光性＞
前記画像を形成したフォト光沢紙に、ウェザーメーター（アトラスＣ．Ｉ６５）を用いて、キセノン光（８５０００ｌｘ）を１４日間照射し、キセノン照射前後の画像濃度を反射濃度計（Ｘ−Ｒｉｔｅ３１０ＴＲ）を用いて測定し、色素残存率として評価した。なお、前記反射濃度は、１、１．５及び２．０の３点で測定した。
何れの濃度でも色素残存率が７０％以上の場合をＡ、１又は２点が７０％未満をＢ、全ての濃度で７０％未満の場合をＣとして、三段階で評価した。
【０２７１】
＜暗熱保存性＞
前記画像を形成したフォト光沢紙を、８０℃−１５％ＲＨの条件下で１４日間試料を保存し、保存前後の画像濃度を反射濃度計（Ｘ−Ｒｉｔｅ３１０ＴＲ）を用いて測定し、色素残存率として評価した。色素残存率について反射濃度が１，１．５，２の３点にて評価し、いずれの濃度でも色素残存率が９０％以上の場合をＡ、２点が９０％未満の場合をＢ、全ての濃度で９０％未満の場合をＣとした。
【０２７２】
＜耐オゾンガス性＞
シーメンス型オゾナイザーの二重ガラス管内に乾燥空気を通しながら、５ｋＶ交流電圧を印加し、これを用いてオゾンガス濃度が０．５±０．１ｐｐｍ、室温、暗所に設定されたボックス内に、前記画像を形成したフォト光沢紙を１４日間放置し、オゾンガス下放置前後の画像濃度を反射濃度計（Ｘ−Ｒｉｔｅ３１０ＴＲ）を用いて測定し、色素残存率として評価した。なお、前記反射濃度は、１、１．５及び２．０の３点で測定した。ボックス内のオゾンガス濃度は、ＡＰＰＬＩＣＳ製オゾンガスモニター（モデル：ＯＺＧ−ＥＭ−０１）を用いて設定した。
何れの濃度でも色素残存率が７０％以上の場合をＡ、１又は２点が７０％未満をＢ、全ての濃度で７０％未満の場合をＣとして、三段階で評価した。
【０２７３】
＜インク保存安定性＞
インクについて保存安定性および目詰まり回復性の試験を実施することで染料の溶解性を評価した。インク保存安定性は、インク液Ａ〜Ｅをポリエチレン製容器に入れ、−１５℃条件下２４時間保存後、引き続き、６０℃の条件下で２４時間保存する；−１５℃（２４ｈｒ．）⇒６０℃（２４ｈｒ．）の繰り返しを１０サイクル繰り返して、保存前後の不溶物析出の有無を調べ、下記基準で評価した。
［判定基準］
経時後の記録液を試験管にとり目視で観察した。
○：不溶分が全く認められない状態である。
△：不溶分が少量認められる状態である。
×：不溶分が目立ち、実用レベルでない状態である。
【０２７４】
＜目詰まり回復性＞
プリンターに各インクを充填し、キャップをしない状態で４０℃の環境に１ヶ月間放置し、放置後、全ノズルが正常吐出するまでに要するクリーニングの動作回数から、下記基準で評価した。
［判定基準］
Ａ；クリーニング２回以内で復帰する。
Ｂ；クリーニング３〜５回で復帰する。
Ｃ；クリーニング６回以上で復帰する。
ＮＧ；復帰しない。
【０２７５】
＜溶解度＞
蒸留水５ｍｌに対して、染料を混合させ、マグネティックスターラーで３０分間攪拌した。攪拌後、染料が溶媒に完溶したかどうかを確認した。評価は、以下に示されるように定義し、３段階で行った
○：染料０．５ｇが溶媒５ｍｌに完溶する
△：染料０．５ｇは完溶しないが、染料０．１ｇでは溶媒５ｍｌに完溶する
×：染料０．１ｇが溶媒５ｍｌに完溶しない
【０２７６】
＜酸化電位：Ｅｏｘ＞
実施例・比較例で用いたフタロシアニン染料（混合物）の酸化電位の値は、以下の条件で測定した。
フタロシアニン染料を１０．０ｍｇから２５．０ｍｇの範囲で秤量し、０．１ｍｏｌ・ｄｍ−３の過塩素酸テトラプロピルアンモニウムを支持電解質として含むＮ，Ｎ−ジメチルホルムアミド  ５ｍｌから１５ｍｌ（色素の濃度は約０．００１ｍｏｌ・ｄｍ−３）で直流ポーラログラフィーにより測定した。ポーラログラフィ装置には、作用極として炭素（ＧＣ）電極を、対極として回転白金電極を用いて、酸化側（貴側）に掃引して得た酸化波を直線近似してそのピーク値との交点と残余電流値との交点の中点を酸化電位の値（ｖｓ  ＳＣＥ）とした。
【０２７７】
【表９】
2004277456.tif 000039
【０２７８】
表９から明らかなように、本発明のインクジェット用インクは色調に優れ、紙依存性が小さく、耐水性、耐光性、耐熱性および耐オゾン性に優れるものであった。特に耐光性、耐熱性および耐オゾン性等の画像保存性に優れることは明らかである。
また、本発明の調製法によるインク液は、厳しい保存条件に曝されても低溶解成分の析出による印字の悪化が無く、インク保存安定性、および目詰まり回復性に優れる事が判った。
【０２７９】
［実施例２］
実施例１で作製した同じインクを用いて、実施例１の同機にて画像を富士写真フイルム製インクジェットペーパーフォト光沢紙ＥＸにプリントし、実施例１と同様な評価を行ったところ、実施例１と同様な結果が得られた。
【０２８０】
［実施例３］
実施例１で作製した同じインクを、インクジェットプリンターＢＪ−Ｆ８５０（ＣＡＮＯＮ社製）のカートリッジに詰め、同機にて同社のフォト光沢紙ＧＰ−３０１に画像をプリントし、実施例１と同様な評価を行ったところ、実施例１と同様な結果が得られた。
【０２８１】
［実施例４］
実施例１の試験方法を、下記の環境試験方法に変更した以外は、実施例１と同じ操作を用いて試験を行なった。すなわち、自動車の排気ガスなどの酸化性ガスと太陽光の照射を受ける屋外環境をシミュレートした酸化性ガス耐性試験方法として、  Ｈ．Ｉｗａｎｏ，  ｅｔ  ａｌ；  Ｊｏｕｒｎａｌ  ｏｆ  Ｉｍａｇｉｎｇ  Ｓｃｉｅｎｃｅ  ａｎｄ  Ｔｅｃｈｎｏｌｏｇｙ  ，３８巻、１４０−１４２（１９４４）に記載の相対湿度８０％、過酸化水素濃度１２０ｐｐｍ、蛍光灯照射チャンバーを用いた酸化耐性試験方法を用いて試験した。試験の結果は、実施例１と同様の結果であった。
【０２８２】
【発明の効果】
本発明によれば、三原色の色素として色再現性に優れた吸収特性を有し、且つ光，熱，湿度および環境中の活性ガスに対して十分な堅牢性を有する新規なフタロシアニン化合物が提供される。さらに、色相と堅牢性に優れた着色画像や着色材料を与える、インクジェットなどの印刷用のインク、感熱転写型画像形成材料におけるインクシート、電子写真用のトナー、ＬＣＤ、ＰＤＰやＣＣＤで用いられるカラーフィルター用着色組成物、各種繊維の染色の為の染色液などの各種着色組成物を提供することができる。
特に、本発明のフタロシアニン化合物の使用により、良好な色相を有し、熱、水、光及び環境中の活性ガス、特にオゾンガスに対して堅牢性の高い画像を形成することができる、インクジェット記録用インク、インクジェット記録方法及び形成画像保存性改良方法が提供される。